(57)【特許請求の範囲】
【請求項１】
マスタネットワークノードおよびセカンダリネットワークノードに接続された端末デバイスで実装される方法（５１０）であって、
前記マスタネットワークノードおよび前記セカンダリネットワークノードの設定に基づいて、前記マスタネットワークノードおよび前記セカンダリネットワークノードにより設定されたサービング周波数に関連付けられる測定結果を取得すること（５１２）と、
前記セカンダリネットワークノードに関する障害に応じて、前記マスタネットワークノードに、前記測定結果と、前記セカンダリネットワークノードに関連付けられる同期信号ブロックが送信される周波数位置および前記セカンダリネットワークノードに関連付けられる参照信号の周波数位置のうちの少なくともひとつを含む周波数情報とを含むレポートを送信すること（５１４）と、を含む方法。
【請求項２】
前記周波数情報がさらに、前記同期信号ブロックのオフセットを含む請求項１に記載の方法。
【請求項３】
前記参照信号の前記周波数位置が、チャネル状態情報参照信号周波数位置を参照位置から導き出せるときのその参照位置を含む請求項１または２に記載の方法。
【請求項４】
前記周波数情報が少なくともひとつの絶対無線周波数チャネル番号を含む請求項１から３のいずれか一項に記載の方法。
【請求項５】
マスタネットワークノードおよびセカンダリネットワークノードに接続された端末デバイスに実装される装置（８００）であって、
ひとつ以上のプロセッサ（８０１）と、
コンピュータプログラムコード（８０３）を含むひとつ以上のメモリ（８０２）と、を備え、
前記ひとつ以上のメモリ（８０２）および前記コンピュータプログラムコード（８０３）は、前記ひとつ以上のプロセッサ（８０１）と共に、前記装置（８００）に少なくとも：
前記マスタネットワークノードおよび前記セカンダリネットワークノードの設定に基づいて、前記マスタネットワークノードおよび前記セカンダリネットワークノードにより設定されたサービング周波数に関連付けられる測定結果を取得することと、
前記セカンダリネットワークノードに関する障害に応じて、前記マスタネットワークノードに、前記測定結果と、前記セカンダリネットワークノードに関連付けられる同期信号ブロックが送信される周波数位置および前記セカンダリネットワークノードに関連付けられる参照信号の周波数位置のうちの少なくともひとつを含む周波数情報とを含むレポートを送信することと、を行わせるよう構成される装置。
【請求項６】
前記ひとつ以上のメモリおよび前記コンピュータプログラムコードは、前記ひとつ以上のプロセッサと共に、前記装置に、請求項２から４のいずれか一項に記載の方法を行わせるよう構成される請求項５に記載の装置。
【請求項７】
ネットワークノードにおいて実装される方法（５２０）であって、
別のネットワークノードに関する障害に応じて、少なくとも前記ネットワークノードに接続された端末デバイスから、前記ネットワークノードおよび前記別のネットワークノードにより設定されたサービング周波数に関連付けられる測定結果と、前記別のネットワークノードに関連付けられる同期信号ブロックが送信される周波数位置および前記別のネットワークノードに関連付けられる参照信号の周波数位置のうちの少なくともひとつを含む周波数情報とを含むレポートを受信すること（５２２）であって、前記ネットワークノードが、前記端末デバイスのマスタネットワークノードとして動作するよう構成され、前記別のネットワークノードが、前記端末デバイスのセカンダリネットワークノードとして動作するよう構成され、前記測定結果が、前記マスタネットワークノードおよび前記セカンダリネットワークノードの設定に基づく、受信することと、
前記周波数情報を用いて前記測定結果を解釈すること（５２４）と、を含む方法。
【請求項８】
前記周波数情報がさらに、前記同期信号ブロックのオフセットを含む請求項７に記載の方法。
【請求項９】
前記参照信号の前記周波数位置が、チャネル状態情報参照信号周波数位置を参照位置から導き出せるときのその参照位置を含む請求項７または８に記載の方法。
【請求項１０】
前記周波数情報が少なくともひとつの絶対無線周波数チャネル番号を含む請求項７から９のいずれか一項に記載の方法。
【請求項１１】
前記測定結果に少なくとも部分的に基づいて、前記端末デバイスの別のセカンダリネットワークノードを決定することと、
前記別のセカンダリネットワークノードに、前記測定結果の少なくとも一部を送信することと、をさらに含む請求項７から１０のいずれか一項に記載の方法。
【請求項１２】
ネットワークノードに実装される装置（８００）であって、
ひとつ以上のプロセッサ（８０１）と、
コンピュータプログラムコード（８０３）を含むひとつ以上のメモリ（８０２）と、を備え、
前記ひとつ以上のメモリ（８０２）および前記コンピュータプログラムコード（８０３）は、前記ひとつ以上のプロセッサ（８０１）と共に、前記装置（８００）に少なくとも：
別のネットワークノードに関する障害に応じて、少なくとも前記ネットワークノードに接続された端末デバイスから、前記ネットワークノードおよび前記別のネットワークノードにより設定されたサービング周波数に関連付けられる測定結果と、前記別のネットワークノードに関連付けられる同期信号ブロックが送信される周波数位置および前記別のネットワークノードに関連付けられる参照信号の周波数位置のうちの少なくともひとつを含む周波数情報とを含むレポートを受信することであって、前記ネットワークノードが、前記端末デバイスのマスタネットワークノードとして動作するよう構成され、前記別のネットワークノードが、前記端末デバイスのセカンダリネットワークノードとして動作するよう構成され、前記測定結果が、前記マスタネットワークノードおよび前記セカンダリネットワークノードの設定に基づく、受信することと、
前記周波数情報を用いて前記測定結果を解釈することと、を行わせるよう構成される装置。
【請求項１３】
前記ひとつ以上のメモリおよび前記コンピュータプログラムコードは、前記ひとつ以上のプロセッサと共に、前記装置に、請求項８から１１のいずれか一項に記載の方法を行わせるよう構成される請求項１２に記載の装置。
【請求項１４】
ネットワークノードにおいて実装される方法（６２０）であって、
端末デバイスに接続された別のネットワークノードから、前記端末デバイスについての測定結果であって前記別のネットワークノードおよびさらに別のネットワークノードにより設定されたサービング周波数に関連付けられる測定結果と、前記さらに別のネットワークノードに関連付けられる同期信号ブロックが送信される周波数位置および前記さらに別のネットワークノードに関連付けられる参照信号の周波数位置のうちの少なくともひとつを含む周波数情報とを含むレポートを受信すること（６２２）であって、前記ネットワークノードが、前記端末デバイスのセカンダリネットワークノードとして動作するよう構成され、前記別のネットワークノードが、前記端末デバイスのマスタネットワークノードとして動作するよう構成され、前記測定結果が、前記マスタネットワークノードおよび前記さらに別のネットワークノードの設定に基づく、受信することと、
前記周波数情報を用いて前記測定結果を解釈すること（６２４）と、を含む方法。
【請求項１５】
前記周波数情報がさらに、前記同期信号ブロックのオフセットを含む請求項１４に記載の方法。
【請求項１６】
前記参照信号の前記周波数位置が、チャネル状態情報参照信号周波数位置を参照位置から導き出せるときのその参照位置を含む請求項１４または１５に記載の方法。
【請求項１７】
前記周波数情報が少なくともひとつの絶対無線周波数チャネル番号を含む請求項１４から１６のいずれか一項に記載の方法。
【請求項１８】
ネットワークノードに実装される装置（８００）であって、
ひとつ以上のプロセッサ（８０１）と、
コンピュータプログラムコード（８０３）を含むひとつ以上のメモリ（８０２）と、を備え、
前記ひとつ以上のメモリ（８０２）および前記コンピュータプログラムコード（８０３）は、前記ひとつ以上のプロセッサ（８０１）と共に、前記装置（８００）に少なくとも：
端末デバイスに接続された別のネットワークノードから、前記端末デバイスについての測定結果であって前記別のネットワークノードおよびさらに別のネットワークノードにより設定されたサービング周波数に関連付けられる測定結果と、前記さらに別のネットワークノードに関連付けられる同期信号ブロックが送信される周波数位置および前記さらに別のネットワークノードに関連付けられる参照信号の周波数位置のうちの少なくともひとつを含む周波数情報とを含むレポートを受信することであって、前記ネットワークノードが、前記端末デバイスのセカンダリネットワークノードとして動作するよう構成され、前記別のネットワークノードが、前記端末デバイスのマスタネットワークノードとして動作するよう構成され、前記測定結果が、前記マスタネットワークノードおよび前記さらに別のネットワークノードの設定に基づく、受信することと、
前記周波数情報を用いて前記測定結果を解釈することと、を行わせるよう構成される装置。
【請求項１９】
前記ひとつ以上のメモリおよび前記コンピュータプログラムコードは、前記ひとつ以上のプロセッサと共に、前記装置に、請求項１５から１７のいずれか一項に記載の方法を行わせるよう構成される請求項１８に記載の装置。
【請求項２０】
コンピュータで用いられる、それに具現化されたコンピュータプログラムコード（８０３）を有するコンピュータ可読媒体であって、前記コンピュータプログラムコード（８０３）が、請求項１から４のいずれか一項に記載の方法を行うためのコードを含むコンピュータ可読媒体。
【請求項２１】
コンピュータで用いられる、それに具現化されたコンピュータプログラムコード（８０３）を有するコンピュータ可読媒体であって、前記コンピュータプログラムコード（８０３）が、請求項７から１１のいずれか一項に記載の方法を行うためのコードを含むコンピュータ可読媒体。
【請求項２２】
コンピュータで用いられる、それに具現化されたコンピュータプログラムコード（８０３）を有するコンピュータ可読媒体であって、前記コンピュータプログラムコード（８０３）が、請求項１４から１７のいずれか一項に記載の方法を行うためのコードを含むコンピュータ可読媒体。
【発明の詳細な説明】
【技術分野】
【０００１】
本開示は一般に、通信ネットワークに関し、より具体的には、測定レポートのための方法および装置に関する。
【背景技術】
【０００２】
このセクションは、本開示のより良い理解を容易にすることができる態様を紹介する。したがって、このセクションの記述は、この観点から読まれるべきであり、従来技術に何があるか、または従来技術に何がないかについての認諾として理解されるべきではない。
【０００３】
通信サービスプロバイダおよびネットワークオペレータは、例えば、競争力のあるネットワークサービスおよびパフォーマンスを提供することによって、消費者に価値および利便性を提供するという課題に絶えず直面している。ネットワーキングおよび通信技術の急速な発展に伴い、ロングタームエボリューション（ＬＴＥ）／第４世代（４Ｇ）ネットワークまたはニューラジオ（ＮＲ）／第５世代（５Ｇ）ネットワークなどの無線ネットワークは、端末デバイスのデュアル接続（ＤＣ）動作をサポートすることができる。したがって、端末デバイスは、例えば、インタフェースクロス２通信ネットワークを介して接続された異なるネットワークノードに位置する２つの別個のスケジューラによって提供される無線リソースを利用するように構成され得る。この場合、ネットワークノードの異なる設定を考慮しながら、ＤＣの性能上の利点を達成することが望ましい場合がある。
【発明の概要】
【０００４】
本概要は、発明の詳細な説明で以下にさらに説明される単純化された概念の選択を紹介するために提供される。本概要は、請求される主題の主要な特徴または不可欠な特徴を特定することを意図するわけではなく、また、請求される主題の範囲を制限するために用いられることを意図するわけでもない。
【０００５】
端末デバイスのＤＣ動作をサポートする通信ネットワークは、端末デバイスのマスタネットワークノード（マスタノード（ＭＮ）とも呼ばれる）およびセカンダリネットワークノード（セカンダリノード（ＳＮ）とも呼ばれる）の調整を必要とし得る。例えば、端末デバイスからＳＮへの接続が機能していないかまたは切断されていることをＭＮに通知し、それに応じてＭＮは端末デバイスから関連する測定結果を得ることができる。しかしながら、ＭＮは、ＳＮの設定に従って収集された測定結果を理解することができない場合がある。したがって、ＳＮに関連する測定結果をＭＮが解釈することを可能にするための効果的なレポートメカニズムを提供する必要があり得る。
【０００６】
本開示は、ＤＣをサポートするネットワークにおける測定結果のレポートのための第１の解を提案し、これは、ＳＮに関連する測定結果をＭＮに理解可能にし、それによって、端末デバイスの再設定時間を低減すると共により効率的な方法でＳＮに関する障害から回復することが可能となる。
【０００７】
第１の提案される解の第１の態様によると、端末デバイスにおいて実装される方法が提供される。方法は、ＭＮおよびＳＮの設定に少なくとも部分的に基づいて測定情報を取得することを含む。端末デバイスは、ＭＮおよびＳＮに接続される。方法はさらに、ＳＮに関する障害に応じて、ＭＮに、前記測定情報を含むレポートを送信することを含む。
【０００８】
第１の提案される解の第２の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第１の提案される解の第１の態様に係る方法の任意のステップを行わせるよう構成されてもよい。
【０００９】
第１の提案される解の第３の態様によると、コンピュータで用いられる、それに具現化されたコンピュータプログラムコードを有するコンピュータ可読媒体が提供される。コンピュータプログラムコードは、第１の提案される解の第１の態様に係る方法の任意のステップを行うコードを含んでもよい。
【００１０】
第１の提案される解の第４の態様によると、装置が提供される。装置は取得部と送信部とを備える。ある例示的な実施の形態によると、取得部は、第１の提案される解の第１の態様に従う方法の少なくとも取得ステップを実行するよう動作可能であってもよい。送信部は、第１の提案される解の第１の態様に従う方法の少なくとも送信ステップを実行するよう動作可能であってもよい。
【００１１】
第１の提案される解の第５の態様によると、ＭＮとして動作するネットワークノードにおいて実装される方法が提供される。方法は、ＭＮおよびＳＮに接続された端末デバイスから、測定情報を含むレポートを受信することを含む。測定情報は、ＭＮおよびＳＮの設定に少なくとも部分的に基づいてもよい。方法はさらに、測定情報を解釈することを含む。
【００１２】
例示的な実施の形態によると、測定情報は、端末デバイスの再設定手順を可能とするために解釈されてもよい。例えば、再設定手順は、測定情報に少なくとも部分的に基づいて、端末デバイスの別のＳＮを決定することと、ＳＮによって設定されたサービング周波数に関連する測定結果の少なくとも一部を別のＳＮに送信することとを含んでもよい。
【００１３】
第１の提案される解の第６の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第１の提案される解の第５の態様に係る方法の任意のステップを行わせるよう構成されてもよい。
【００１４】
第１の提案される解の第７の態様によると、コンピュータで用いられる、それに具現化されたコンピュータプログラムコードを有するコンピュータ可読媒体が提供される。コンピュータプログラムコードは、第１の提案される解の第５の態様に係る方法の任意のステップを行うコードを含んでもよい。
【００１５】
第１の提案される解の第８の態様によると、装置が提供される。この装置は、受信部と解釈部とを備えてもよい。ある例示的な実施の形態によると、受信部は、第１の提案される解の第５の態様に従う方法の少なくとも受信ステップを実行するよう動作可能であってもよい。解釈部は、第１の提案される解の第５の態様に従う方法の少なくとも解釈ステップを実行するよう動作可能であってもよい。
【００１６】
第１の提案される解の第９の態様によると、ＳＮとして動作するネットワークノードにおいて実装される方法が提供される。この方法は、ＳＮによって設定されたサービング周波数と、サービング周波数に関連付けられた測定結果との間の関連付けを決定することを含む。サービング周波数は、ＭＮおよびＳＮに接続される端末デバイスのために設定され得る。この方法は、端末デバイスに関連する測定情報を解釈するために、ＭＮに関連付けを提供することをさらに備える。測定情報は、少なくとも測定結果を含むことができ、ＭＮおよびＳＮの設定に少なくとも部分的に基づいている。
【００１７】
第１の提案される解の第１０の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第１の提案される解の第９の態様に係る方法の任意のステップを行わせるよう構成されてもよい。
【００１８】
第１の提案される解の第１１の態様によると、コンピュータで用いられる、それに具現化されたコンピュータプログラムコードを有するコンピュータ可読媒体が提供される。コンピュータプログラムコードは、第１の提案される解の第９の態様に係る方法の任意のステップを行うコードを含んでもよい。
【００１９】
第１の提案される解の第１２の態様によると、装置が提供される。この装置は、決定部と、提供部とを備える。ある例示的な実施の形態によると、決定部は、第１の提案される解の第９の態様に従う方法の少なくとも決定ステップを実行するよう動作可能であってもよい。提供部は、第１の提案される解の第９の態様に従う方法の少なくとも提供ステップを実行するよう動作可能であってもよい。
【００２０】
例示的な実施の形態によれば、測定情報は、ＭＮおよびＳＮによって設定されたサービング周波数に関連する測定結果を含んでもよい。
【００２１】
例示的な実施の形態によれば、レポートは、ＳＮによって設定されたサービング周波数と、サービング周波数に関連付けられた測定結果と、の間の関連付けを示すことができる。
【００２２】
例示的な実施の形態によれば、関連付けは、ＳＮによって設定されたサービング周波数の指示によって示され得る。
【００２３】
例示的な実施の形態によれば、ＳＮによって設定されたサービング周波数に関連する測定結果は、サービング周波数上で測定された最良のセルの識別子と、測定された最良のセルの参照信号品質の指示と、を備えることができる。
【００２４】
例示的な実施の形態によれば、ＳＮによって設定されたサービング周波数に関連付けられた測定結果は、測定された最良のセルの最良の隣接セルの識別子と、最良の隣接セルの参照信号品質の指示と、をさらに備えることができる。
【００２５】
例示的な実施の形態によれば、関連付けは、ＳＮによって設定されたサービング周波数上のサービングセルのインデクスによって示され得る。サービングセルのインデクスは、サービング周波数とのマッピング関係を有することができる。例えば、マッピング関係は、ＭＮによって、ＳＮから収集され得る。
【００２６】
例示的な実施の形態によれば、ＳＮによって設定されたサービング周波数に関連する測定結果は、サービング周波数上のサービングセルのインデクスと、サービングセルの参照信号品質の指示と、サービングセルの最良の隣接セルの識別子と、最良の隣接セルの参照信号品質の指示と、を備えることができる。
【００２７】
例示的な実施の形態によれば、ＭＮによって設定されたサービング周波数に関連する測定結果は、ＳＮによって設定されたサービング周波数に関連する測定結果からレポート内で分離され得る。
【００２８】
例示的な実施の形態によれば、サービングセルのインデクスは、ＭＮとの調整なしにＳＮによって割り当てられ得る。
【００２９】
例示的な実施の形態によれば、サービングセルのインデクスは、ＭＮおよびＳＮの調整によって割り当てられ得る。
【００３０】
例示的な実施の形態によれば、測定情報は、ＭＮおよびＳＮによって使用されるビームに関連する測定結果をさらに備えることができる。
【００３１】
例示的な実施の形態によれば、レポートは、ＳＮに関する障害をＭＮに通知するための障害メッセージを備えることができる。
【００３２】
いくつかの例示的な実施の形態では、ＭＮは端末デバイスのターゲットＳＮを選択する必要があり、したがって、端末デバイスからの関連測定結果をターゲットＳＮに提供することができる。また、端末デバイスに現在接続されているＳＮは、変更しようとしている端末デバイスが接続されるべきターゲットＳＮを選択し、それにより、端末デバイスからの関連測定結果をそのターゲットＳＮに提供してもよい。しかしながら、ターゲットＳＮは、ＭＮまたは元のＳＮの設定に従って収集された測定結果を理解することができない場合がある。したがって、ターゲットＳＮが、ＭＮおよび／または元のＳＮに関連付けられた測定結果を解釈することを可能にする必要があり得る。
【００３３】
第１の提案された解の代わりに、またはそれに加えて、本開示は、ＤＣをサポートするネットワークにおける測定結果のレポートのための第２の解を提案し、これは、ＭＮまたは古いＳＮに関連する測定結果を新しいＳＮに理解可能にし、それによって、端末デバイスの再設定時間を低減すると共に端末デバイスをより効率的な方法で新しいＳＮに接続することを可能とする。
【００３４】
第２の提案される解の第１の態様によると、ＭＮとして動作するネットワークノードにおいて実装される方法が提供される。この方法は、少なくともＭＮに接続された端末デバイスに関連する測定情報を取得することを含む。この方法は、測定情報を含むレポートを第１ＳＮに送信することをさらに備える。レポートは、測定情報に関連付けられた周波数情報を示すことができる。
【００３５】
第２の提案される解の第２の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第２の提案される解の第１の態様に係る方法の任意のステップを行わせるよう構成されてもよい。
【００３６】
第２の提案される解の第３の態様によると、コンピュータで用いられる、それに具現化されたコンピュータプログラムコードを有するコンピュータ可読媒体が提供される。コンピュータプログラムコードは、第２の提案される解の第１の態様に係る方法の任意のステップを行うコードを含んでもよい。
【００３７】
第２の提案される解の第４の態様によると、装置が提供される。装置は取得部と送信部とを備える。ある例示的な実施の形態によると、取得部は、第２の提案される解の第１の態様に従う方法の少なくとも取得ステップを実行するよう動作可能であってもよい。送信部は、第２の提案される解の第１の態様に従う方法の少なくとも送信ステップを実行するよう動作可能であってもよい。
【００３８】
第２の提案される解の第５の態様によると、第１ＳＮにおいて実装される方法が提供される。この方法は、ＭＮから測定情報を含むレポートを受信することを含む。測定情報は、少なくともＭＮに接続された端末デバイスに関連付けられてもよい。レポートは、測定情報に関連付けられた周波数情報を示すことができる。方法はさらに、測定情報を解釈することを含む。
【００３９】
第２の提案される解の第６の態様によると、装置が提供される。装置はひとつ以上のプロセッサと、コンピュータプログラムコードを含むひとつ以上のメモリと、を備える。１つまたは複数のメモリおよびコンピュータプログラムコードは１つまたは複数のプロセッサとともに、第２の提案された解決策の第５の態様による方法の任意のステップを装置に少なくとも実行させるように設定され得る。
【００４０】
第２の提案される解の第７の態様によると、コンピュータで用いられる、それに具現化されたコンピュータプログラムコードを有するコンピュータ可読媒体が提供される。コンピュータプログラムコードは、第２の提案される解の第５の態様に係る方法の任意のステップを行うコードを含んでもよい。
【００４１】
第２の提案される解の第８の態様によると、装置が提供される。この装置は、受信部と解釈部とを備える。ある例示的な実施の形態によると、受信部は、第２の提案される解の第５の態様に従う方法の少なくとも受信ステップを実行するよう動作可能であってもよい。解釈部は、第２の提案される解の第５の態様に従う方法の少なくとも解釈ステップを実行するよう動作可能であってもよい。
【００４２】
第２の提案される解の第９の態様によると、第２ＳＮにおいて実装される方法が提供される。この方法は、ＭＮおよび第２ＳＮに接続された端末デバイスに関連する測定情報を取得することを含む。この方法は、測定情報を含むレポートをＭＮに送信することをさらに備える。レポートは、測定情報に関連付けられた周波数情報を示すことができる。
【００４３】
第２の提案される解の第１０の態様によると、装置が提供される。装置はひとつ以上のプロセッサと、コンピュータプログラムコードを含むひとつ以上のメモリと、を備える。１つまたは複数のメモリおよびコンピュータプログラムコードは１つまたは複数のプロセッサとともに、第２の提案された解決策の第９の態様による方法の任意のステップを装置に少なくとも実行させるように設定され得る。
【００４４】
第２の提案される解の第１１の態様によると、コンピュータで用いられる、それに具現化されたコンピュータプログラムコードを有するコンピュータ可読媒体が提供される。コンピュータプログラムコードは、第２の提案される解の第９の態様に係る方法の任意のステップを行うコードを含んでもよい。
【００４５】
第２の提案される解の第１２の態様によると、装置が提供される。装置は取得部と送信部とを備える。ある例示的な実施の形態によると、取得部は、第２の提案される解の第９の態様に従う方法の少なくとも取得ステップを実行するよう動作可能であってもよい。送信部は、第２の提案される解の第９の態様に従う方法の少なくとも送信ステップを実行するよう動作可能であってもよい。
【００４６】
例示的な実施の形態によれば、測定情報は、端末デバイスから取得されてもよい。例えば、測定情報は、ＭＮによって設定されたサービング周波数に関連する測定結果を含むことができる。
【００４７】
例示的な実施の形態によれば、端末デバイスは、ＭＮおよび第２ＳＮに接続され得る。測定情報は、第２ＳＮから取得されてもよい。例えば、測定情報は、第２ＳＮによって設定されたサービング周波数に関連する測定結果を含むことができる。
【００４８】
例示的な実施の形態によれば、前記端末デバイスに関連付けられた測定情報を取得することは、第２ＳＮから測定情報に関連付けられた周波数情報を取得することをさらに含んでもよい。
【００４９】
例示的な実施の形態によれば、測定情報は、ＭＮおよび第２ＳＮによって設定されたサービング周波数のうちの少なくとも１つに関連する測定結果を備える。
【００５０】
例示的な実施の形態によれば、周波数情報は、サービング周波数の指示および物理セル識別子のうちの少なくとも１つを備えることができる。
【００５１】
例示的な実施の形態によれば、レポートの送信および／または受信は、第１ＳＮの決定に応答することができる。
【００５２】
例示的な実施の形態によれば、第１ＳＮの決定は、端末デバイスが接続されるＭＮまたは第２ＳＮによって開始され得る。
【００５３】
いくつかの例示的な実施の形態では、ＭＮは端末デバイスからＳＮへの接続が機能していないまたは切断されていることを通知され、したがって、端末デバイスからの障害レポートにおいて関連する測定結果を取得することができる。障害レポートは、測定対象に関連付けられたキャリア周波数などの何らかの周波数情報を含むことができる。しかしながら、中心キャリア周波数に関する周波数情報は、ＮＲのコンテキストにおいてＮＲ測定対象に利用可能でない場合がある。このため、ＮＲ測定対象に対する周波数情報の提供を強化する必要がある。
【００５４】
第１の提案された解および／または第２の提案された解の代わりに、またはそれに加えて、本開示は、ＤＣをサポートするネットワークにおける測定結果のレポートのための第３の解を提案し、これは、測定対象のためのレポート（障害レポートまたは測定レポートなど）に、測定対象のいくつかの周波数情報を含めることを可能にし、それによって、設定時間を低減すると共により効率的な方法で通信接続を維持することを可能とする。
【００５５】
第３の提案される解の第１の態様によると、ＳＮとして動作するネットワークノードにおいて実装される方法が提供される。この方法は、ＭＮから端末デバイスの測定情報を含むレポートを受信することを備える。端末デバイスは、少なくともＭＮに接続されている。レポートは、測定情報の周波数情報を示す。この方法は、レポートから周波数情報を取得することをさらに含む。周波数情報は、同期信号の周波数位置および参照信号の周波数位置のうちの少なくとも１つを含む。
【００５６】
例示的な実施の形態によれば、周波数情報は、同期信号ブロック（ＳＳＢ）のオフセットをさらに含むことができる。例示的な実施の形態によれば、同期信号の周波数位置は、同期信号／物理報知チャネル（ＳＳ／ＰＢＣＨ）ブロックが送信される周波数位置を含むことができる。例示的な実施の形態によると、参照信号の周波数位置は、チャネル状態情報参照信号（ＣＳＩ−ＲＳ）周波数位置を参照位置から導出することができるときのその参照位置を含んでもよい。
【００５７】
第３の提案される解の第２の態様によると、ＳＮとして動作するネットワークノードにおいて実装される装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第３の提案される解の第１の態様に係る方法の任意のステップを行わせるよう構成されてもよい。
【００５８】
第３の提案された解の第３の態様によれば、コンピュータ上で実行されたときに、第３の提案された解の第１の態様による方法の任意のステップをコンピュータに実行させるコンピュータプログラムコードを有し、該コンピュータプログラムコードがそれに具現化されたコンピュータ可読媒体が提供される。
【００５９】
第３の提案される解の第４の態様によると、ＳＮとして動作するネットワークノードにおいて実装される装置が提供される。この装置は、受信部と取得部とを備える。ある例示的な実施の形態によると、受信部は、第３の提案される解の第１の態様に従う方法の少なくとも受信ステップを実行するよう動作可能であってもよい。取得部は、第３の提案される解の第１の態様に従う方法の少なくとも取得ステップを実行するよう動作可能であってもよい。
【００６０】
第１の提案された解、第２の提案された解、および第３の提案された解のいずれかに少なくとも部分的に基づいて、本開示は、ＤＣをサポートするネットワークにおける測定情報のための第４の解を提案し、これは、測定対象の周波数情報が測定対象に関する測定情報に含まれることを可能にし、それによって、設定時間を低減すると共により効率的な方法で通信接続を維持することを可能とする。
【００６１】
第４の提案される解の第１の態様によると、端末デバイスにおいて実装される方法が提供される。方法は、ＭＮおよびＳＮの設定に少なくとも部分的に基づいて測定情報を取得することを含む。端末デバイスは、ＭＮおよびＳＮに接続される。この方法は、ＳＮに関する障害に応じて、周波数情報を含む測定情報を含むレポートをＭＮに送信することをさらに備える。
【００６２】
第４の提案される解の第２の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第４の提案される解の第１の態様に係る方法の任意のステップを行わせるよう構成されてもよい。
【００６３】
第４の提案された解の第３の態様によれば、コンピュータ上で実行されたときに、第４の提案された解の第１の態様による方法の任意のステップをコンピュータに実行させるコンピュータプログラムコードを有し、該コンピュータプログラムコードがそれに具現化されたコンピュータ可読媒体が提供される。
【００６４】
第４の提案される解の第４の態様によると、装置が提供される。装置は取得部と送信部とを備える。ある例示的な実施の形態によると、取得部は、第４の提案される解の第１の態様に従う方法の少なくとも取得ステップを実行するよう動作可能であってもよい。送信部は、第４の提案される解の第１の態様に従う方法の少なくとも送信ステップを実行するよう動作可能であってもよい。
【００６５】
第４の提案される解の第５の態様によると、ネットワークノードにおいて実装される方法が提供される。この方法は、別のネットワークノードに関する障害に応じて、少なくともネットワークノードに接続された端末デバイスから、周波数情報を含む測定情報を含むレポートを受信することを含む。ネットワークノードは、端末デバイスのＭＮとして動作するように設定され、別のネットワークノードは端末デバイスのＳＮとして動作するように設定される。測定情報は、ＭＮおよびＳＮの設定に少なくとも部分的に基づく。方法はさらに、測定情報を解釈することを含む。
【００６６】
いくつかの例示的な実施の形態によれば、第４の提案された解の第５の態様による方法は、測定情報に少なくとも部分的に基づいて、端末デバイスの別のＳＮを決定することと、測定情報の少なくとも一部を別のＳＮに送信することと、をさらに含んでもよい。
【００６７】
第４の提案される解の第６の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第４の提案される解の第５の態様に係る方法の任意のステップを行わせるよう構成されてもよい。
【００６８】
第４の提案された解の第７の態様によれば、コンピュータ上で実行されたときに、第４の提案された解の第５の態様による方法の任意のステップをコンピュータに実行させるコンピュータプログラムコードを有し、該コンピュータプログラムコードがそれに具現化されたコンピュータ可読媒体が提供される。
【００６９】
第４の提案される解の第８の態様によると、装置が提供される。この装置は、受信部と解釈部とを備える。ある例示的な実施の形態によると、受信部は、第４の提案される解の第５の態様に従う方法の少なくとも受信ステップを実行するよう動作可能であってもよい。解釈部は、第４の提案される解の第５の態様に従う方法の少なくとも解釈ステップを実行するよう動作可能であってもよい。
【００７０】
第４の提案される解の第９の態様によると、ネットワークノードにおいて実装される方法が提供される。この方法は、端末デバイスに接続された別のネットワークノードから、端末デバイスの周波数情報を含む測定情報を含むレポートを受信することを含む。ネットワークノードは、端末デバイスのＳＮとして動作するように設定され、別のネットワークノードは端末デバイスのＭＮとして動作するように設定される。測定情報は、端末デバイスのＭＮおよび別のＳＮの設定に少なくとも部分的に基づく。方法はさらに、測定情報を解釈することを含む。
【００７１】
第４の提案される解の第１０の態様によると、装置が提供される。装置はひとつ以上のプロセッサと、コンピュータプログラムコードを含むひとつ以上のメモリと、を備える。ひとつ以上のメモリおよびコンピュータプログラムコードは、ひとつ以上のプロセッサと共に、装置に、第４の提案される解の第９の態様に係る方法の任意のステップを行わせるよう構成されてもよい。
【００７２】
第４の提案された解の第１１の態様によれば、コンピュータ上で実行されたときに、第４の提案された解の第９の態様による方法の任意のステップをコンピュータに実行させるコンピュータプログラムコードを有し、該コンピュータプログラムコードがそれに具現化されたコンピュータ可読媒体が提供される。
【００７３】
第４の提案される解の第１２の態様によると、装置が提供される。この装置は、受信部と解釈部とを備える。ある例示的な実施の形態によると、受信部は、第４の提案される解の第９の態様に従う方法の少なくとも受信ステップを実行するよう動作可能であってもよい。解釈部は、第４の提案される解の第９の態様に従う方法の少なくとも解釈ステップを実行するよう動作可能であってもよい。
【００７４】
いくつかの例示的な実施の形態によれば、周波数情報は、同期信号の周波数位置および参照信号の周波数位置のうちの少なくとも１つに関する情報を含むことができる。
【００７５】
いくつかの例示的な実施の形態によれば、同期信号の周波数位置は、同期信号ブロックが送信される周波数位置を含むことができる。
【００７６】
いくつかの例示的な実施の形態によれば、周波数情報は、同期信号ブロックのオフセットをさらに含むことができる。
【００７７】
いくつかの例示的な実施の形態によれば、参照信号の周波数位置に関する情報は、チャネル状態情報参照信号（ＣＳＩ−ＲＳ）周波数位置を参照位置から導出できるときのその参照位置を含んでもよい。
【００７８】
いくつかの例示的な実施の形態によれば、周波数情報は、少なくとも１つの絶対無線周波数チャネル番号を含むことができる。
【図面の簡単な説明】
【００７９】
本開示自体、使用の好ましい形態、およびさらなる目的は、添付の図面と併せて読まれる場合、実施の形態の以下の詳細な説明を参照することによって最もよく理解される。
【００８０】
【図１】本開示の実施の形態による例示的なユーザプレーン（ＵＰ）アーキテクチャを示す図である。
【００８１】
【図２】本開示の実施の形態による別の例示的なＵＰアーキテクチャを示す図である。
【００８２】
【図３】本開示の実施の形態による例示的な制御プレーン（ＣＰ）アーキテクチャを示す図である。
【００８３】
【図４】本開示の実施の形態による別の例示的なＣＰアーキテクチャを示す図である。
【００８４】
【図５Ａ】本開示のいくつかの実施の形態による方法を示すフローチャートである。
【００８５】
【図５Ｂ】本開示のいくつかの実施の形態による方法を示すフローチャートである。
【００８６】
【図５Ｃ】本開示のいくつかの実施の形態による方法を示すフローチャートである。
【００８７】
【図５Ｄ】本開示のいくつかの実施の形態による装置を示すブロック図である。
【００８８】
【図５Ｅ】本開示のいくつかの実施の形態による装置を示すブロック図である。
【００８９】
【図５Ｆ】本開示のいくつかの実施の形態による装置を示すブロック図である。
【００９０】
【図６Ａ】本開示のいくつかの実施の形態による方法を示すフローチャートである。
【００９１】
【図６Ｂ】本開示のいくつかの実施の形態による方法を示すフローチャートである。
【００９２】
【図６Ｃ】本開示のいくつかの実施の形態による方法を示すフローチャートである。
【００９３】
【図６Ｄ】本開示のいくつかの実施の形態による装置を示すブロック図である。
【００９４】
【図６Ｅ】本開示のいくつかの実施の形態による装置を示すブロック図である。
【００９５】
【図６Ｆ】本開示のいくつかの実施の形態による装置を示すブロック図である。
【００９６】
【図７Ａ】本開示の実施の形態による障害手順を示す図である。
【００９７】
【図７Ｂ】本開示のいくつかの実施の形態による方法を示すフローチャートである。
【００９８】
【図７Ｃ】本開示のいくつかの実施の形態による装置を示すブロック図である。
【００９９】
【図８】本開示のいくつかの実施の形態による装置を示すブロック図である。
【発明を実施するための形態】
【０１００】
添付の図面を参照し、本開示の実施の形態をより詳細に説明する。これらの実施の形態は、本開示の範囲に対するいかなる制限も示唆するのではなく、当業者が本開示をより良く理解し、したがって本開示を実施することを可能とするためにのみ議論されることを理解されたい。本明細書を通して、特徴、利点または類似の言語について言及することは、本開示によって実現される可能性のある特徴および利点のすべてが、本開示のいずれかの単一の実施の形態に存するべきであるまたは存するということを意味するものではない。むしろ、特徴および利点に言及する言葉は、実施の形態に関連して説明された特定の特徴、利点、または特性が本開示の少なくとも１つの実施の形態に含まれることを意味すると理解される。さらに、本開示の説明された特性、利点、および特性は、１つまたは複数の実施の形態において任意の適切な方法で組み合わせることができる。当業者であれば、本開示を、特定の実施の形態の具体的な特徴や利点のうちのひとつ以上なしで、実施できることを認識するであろう。他の例では、本開示のすべての実施の形態に存在しない追加の特徴および利点が、ある特定の実施の形態において認識されることがある。
【０１０１】
本明細書で使用される「通信ネットワーク」という用語は、ニューラジオ（ＮＲ）、ロングタームエボリューション（ＬＴＥ）、ＬＴＥアドバンスト、広帯域符号分割多元接続（ＷＣＤＭＡ）、高速パケットアクセス（ＨＳＰＡ）などの任意の適切な通信規格に従うネットワークを指す。さらに、通信ネットワーク内の端末デバイスとネットワークノードとの間の通信は、第１世代（１Ｇ）、第２世代（２Ｇ）、２．５Ｇ、２．７５Ｇ、第３世代（３Ｇ）、４Ｇ、４．５Ｇ、５Ｇ通信プロトコル、および／または現在知られているかまたは将来開発される他の任意のプロトコルを含むがこれらに限定されない、任意の適切な世代通信プロトコルに従って実行され得る。
【０１０２】
「ネットワークノード」という用語は、端末デバイスがネットワークにアクセスし、そこからサービスを受信する、通信ネットワーク内のネットワーク装置を指す。ネットワークノードは、基地局（ＢＳ）、アクセスポイント（ＡＰ）、マルチセル／マルチキャスト調整エンティティ（ＭＣＥ）、コントローラ、または無線通信ネットワーク内の任意の他の適切なデバイスを指すことができる。ＢＳは例えば、ノードＢ（ＮｏｄｅＢまたはＮＢ）、エバルブドノードＢ（ｅＮｏｄｅＢまたはｅＮＢ）、次世代ノードＢ（ｇＮｏｄｅＢまたはｇＮＢ）、遠隔無線ユニット（ＲＲＵ）、無線ヘッダ（ＲＨ）、遠隔無線ヘッド（ＲＨ）、リレー、フェムト、ピコなどの低出力ノードなどであってもよい。
【０１０３】
ネットワークノードのさらに別の例は、ＭＳＲ  ＢＳなどのマルチスタンダード無線（ＭＳＲ）無線機器、無線ネットワークコントローラ（ＲＮＣ）や基地局コントローラ（ＢＳＣ）などのネットワークコントローラ、基地トランシーバ局（ＢＴＳ）、送信ポイント、送信ノード、測位ノードなどを含む。しかしながら、より一般的には、ネットワークノードは、無線通信ネットワークへの端末デバイスアクセスを可能にし、かつ／または提供し、あるいは無線通信ネットワークにアクセスした端末デバイスに何らかのサービスを提供することができる、そのように構成される、そのように構築される、および／またはそのように動作可能な、任意の適切な装置（または装置のグループ）を表すことができる。
【０１０４】
「端末デバイス」という用語は、通信ネットワークにアクセスし、そこからサービスを受信することができる任意の端末デバイスを指す。限定ではなく例として、端末デバイスは、モバイル端末、ユーザ機器（ＵＥ）、または他の適切なデバイスを指すことができる。ＵＥは例えば、加入者局、携帯加入者局、移動局（ＭＳ）、またはアクセス端末（ＡＴ）であってもよい。端末デバイスはポータブルコンピュータ、デジタルカメラなどの画像端末デバイス、ゲーム端末デバイス、音楽記憶再生機器、携帯電話、セルラ電話、スマートフォン、タブレット、ウェアラブルデバイス、携帯情報端末（ＰＤＡ）、車両などを含むことができるが、これらに限定されない。
【０１０５】
本明細書で使用されるように、用語「第１」、「第２」などは、異なる要素を指す。単数形「ａ」および「ａｎ」は、文脈がそうでないことを明確に示さない限り、複数形も含むことが意図される。さらに、用語「備える」、「備えている」、「有する」、「有している」、「含む」、および／または「含んでいる」は、本明細書で使用される場合、述べられた特徴、要素、および／または構成要素などの存在を指定するが、１つまたは複数の他の特徴、要素、構成要素、および／またはそれらの組合せの存在または追加を排除しない。「に基づく」という用語は、「に少なくとも部分的に基づく」と読まれるべきである。用語「１つの実施の形態」および「実施の形態」は、「少なくとも１つの実施の形態」として読まれるべきである。用語「別の実施の形態」は、「少なくとも１つの他の実施の形態」として読まれるべきである。明示的および暗示的な他の定義を以下に含めることができる。
【０１０６】
無線通信ネットワークは、音声、ビデオ、データ、メッセージング、および放送などの各種電気通信サービスを提供するために広く展開されている。システム容量およびデータレートに対するネットワーク要件を劇的に増大させるために、通信技術開発のための１つの興味深い選択肢は、無線通信ネットワークにおけるＤＣ動作をサポートすることである。
【０１０７】
例えば、エバルブドユニバーサル移動体通信システム（ＵＭＴＳ）地上無線アクセスネットワーク（Ｅ−ＵＴＲＡＮ）はＤＣ動作をサポートすることができ、その結果、無線リソース制御接続状態（ＲＲＣ＿ｃｏｎｎｅｃｔｅｄ）にある複数の送信機／受信機（Ｔｘ／Ｒｘ）ＵＥは、例えば、Ｘ２インタフェース上の非理想的なバックホールを介して接続された２つのｅＮＢ（無線基地局など）に位置する２つの別個のスケジューラによって提供される無線リソースを利用するように設定され得る。非理想的なバックホールは、ノード間のＸ２インタフェースを介するメッセージの搬送がパケット遅延および損失の両方を受ける可能性があることを意味する。
【０１０８】
一般に、あるＵＥについてのＤＣに関与するｅＮＢは、２つの異なる役割を仮定することができる：すなわち、ｅＮＢは、マスタｅＮＢ（ＭｅＮＢ）とも呼ばれるマスタノード（ＭＮ）として動作することができるか、またはセカンダリｅＮＢ（ＳｅＮＢ）とも呼ばれるセカンダリノード（ＳＮ）として動作することができる。ＬＴＥ  ＤＣソリューションによれば、ＵＥは、ＭＮおよびＳＮに接続され得る。したがって、ｅＮＢは異なるＵＥについて、ＭＮおよびＳＮの両方として同時に動作することができる。
【０１０９】
図１は、本開示の実施の形態による例示的なＵＰアーキテクチャを示す図である。図１に示される例示的なＵＰアーキテクチャは、ＬＴＥ  ＤＣシナリオに適用可能であり得る。パケットデータコンバージェンスプロトコル（ＰＤＣＰ）レイヤ、無線リンク制御（ＲＬＣ）レイヤ、および媒体アクセス制御（ＭＡＣ）レイヤを備える３つのタイプの無線プロトコルレイヤが、ＭＮおよびＳＮについて示されている。特定のベアラによって使用される無線プロトコルアーキテクチャは、ベアラがどのように設定されるかに依存し得る。
【０１１０】
図１に示されるように、３つのベアラタイプ、すなわち、マスタセルグループ（ＭＣＧ）ベアラ、セカンダリセルグループ（ＳＣＧ）ベアラ、およびスプリットベアラが存在し得る。ＭＮおよびＳＮは、ＭＮおよびＳＮの両方について複数のセルを設定するためにキャリアアグリゲーション（ＣＡ）を使用することができるので、「グループ」という用語が使用される。ＬＴＥインフラストラクチャではＲＲＣがＭＮ内に位置し、シグナリング無線ベアラ（ＳＲＢ）は常にＭＣＧベアラタイプとして設定され、したがって、ＭＮの無線リソースのみを使用する。ｅＮＢがＵＥのＳＮとして動作するとき、ＬＴＥ  ＤＣシナリオにおけるｅＮＢは、そのＵＥのＲＲＣコンテキストを有さず、すべてのそのようなシグナリングはＵＥのＭＮによって処理される。
【０１１１】
ＵＥは、対応するプロトコルアーキテクチャを有することができ、そこでは、ＵＥはＳＲＢを介してＲＲＣメッセージをＭＮに向けて送受信することができ、一方、データ無線ベアラ（ＤＲＢ）を介したデータトラフィックは、割り当てられた無線リソースを介してＭＮ／ＳＮに、またはＭＮ／ＳＮから搬送可能である。
【０１１２】
図２は、本開示の実施の形態による別の例示的なＵＰアーキテクチャを示す図である。図２に示される例示的なＵＰアーキテクチャは、ＬＴＥ−ＮＲ  ＤＣ（ＬＴＥ−ＮＲタイトインターワーキングとも呼ばれる）シナリオまたはＮＲ  ＤＣシナリオに適用可能であり得る。ＬＴＥ  ＤＣシナリオと比較して、図２に示されるシナリオでは、ＭＮからのスプリットベアラ（図２ではＭＣＧスプリットベアラとして示される）に加えて、ＳＮからのスプリットベアラがＳＣＧスプリットベアラとして導入される。この特定の場合のＳＮは、セカンダリｇＮＢ（ＳｇＮＢ）とも呼ばれ得る。
【０１１３】
図３は、本開示の実施の形態による例示的なＣＰアーキテクチャを示す図である。図３に示される例示的なＣＰアーキテクチャは、ＮＲ／５Ｇ  ＤＣシナリオに適用可能であり得る。ＬＴＥ  ＤＣシナリオと比較して、図３に示されるシナリオでは、ＳＲＢが必ずしもＭＣＧベアラタイプとして設定されるとは限らず、ＲＲＣのスプリットベアラはＭＮおよびＳＮのスプリットＳＲＢとして導入される。さらに、ＳＮからの直接ＲＲＣは、ＳＣＧ  ＳＲＢまたは直接ＳＲＢとして導入される。
【０１１４】
図２および図３から、別個のＳＲＢが、ＭＮおよびＳＮの両方からサポートされることが分かる。これは、ＵＥが、ＭＮおよびＳＮの両方からＲＲＣメッセージなどのシグナリングメッセージを受信することができることを意味する。したがって、ＵＥを制御する責任を負う２つのＲＲＣインスタンスが存在し、１つはＭＮから指示され、もう１つはＳＮから指示される。この状況では、ＵＥが２つのインスタンスからのＲＲＣシグナリングを終了する必要がある。
【０１１５】
ＮＲ  ＤＣにおいて、特にＬＴＥ−ＮＲ  ＤＣにおいて、そのような複数のＲＲＣインスタンスを導入する動機は、ＭＮおよびＳＮが無線リソースの制御に対して部分的に自律的に責任を負うことができることである。例えば、ＭＮはＬＴＥを使用していくつかのスペクトルからリソースを割り振ることができ、一方、ＳＮはＮＲを使用するいくつかの他のスペクトルからリソースを設定し、割り振る責任を負うことができる。ＬＴＥおよびＮＲにおいてリソースを割り当てるための課題は実質的に異なる可能性があるので（例えば、ＮＲは、ビームフォーミングが非常に望ましいスペクトル内に割り当てられる可能性があり、一方、ＬＴＥは良好なカバレッジを有するが非常に輻輳したリソースを有するスペクトル内に割り当てられる可能性があるので）、ＳＮは、ＳＮに関連するリソース上でＵＥを設定し、管理するために、あるレベルの自律性を有することが重要である。一方、ＵＥへの接続に関する全体的な責任はおそらくＭＮにあり、したがって、ＭＮは例えば、モビリティ、ＵＥの状態変化、およびＵＥのサービス品質要求を満たすことなどに関する全体的な責任を有しうる。
【０１１６】
ＭＮおよびＳＮは、ＬＴＥ（４Ｇ）またはＮＲ（５Ｇ）無線アクセス技術を使用するネットワークノードであり得る。それらは、同じ技術をサポートしてもよいし、異なる技術をサポートしてもよい。例示的なシナリオでは、ＭＮがＬＴＥを使用し、エバルブドパケットコア（ＥＰＣ）に接続され、ＳＮはＮＲを使用し、コアネットワークに直接接続されない。ＵＥへの／からのすべてのトラフィックは、ＭＮを介してＥＰＣから／へ搬送される。このシナリオは、非スタンドアロンＮＲとしても知られている。ＭＮおよびＳＮが各種無線インタフェース技術を適用またはサポートし得る他のシナリオが存在し得ることが理解されるのであろう。例えば、ＭＮはＬＴＥまたはＮＲをサポートすることができ、ＳＮは、ＬＴＥまたはＮＲをサポートすることができる。無線インタフェースを介して他の技術を使用することもできる。
【０１１７】
図４は、本開示の実施の形態による別の例示的なＣＰアーキテクチャを示す図である。ＬＴＥ−ＮＲタイトインターワーキングのこの実施の形態では、ＵＥは複数のネットワークノード、例えば、ＬＴＥをサポートするＭｅＮＢおよびＮＲをサポートするＳｇＮＢ（図４ではそれぞれＭＮおよびＳＮとして示される）に接続される。ＭｅＮＢおよびＳｇＮＢは、それぞれ、その無線リソースに関してＵＥを設定および制御するためのあるレベルの自律性を有してもよく、これは複数のＲＲＣインスタンスのサポートによって反映され得る。設定および制御は、ＲＲＣプロトコルなどのシグナリングプロトコルを使用して行うことができる。あるいは、設定および制御は例えば、ＭＡＣプロトコルを使用して実施され得る。
【０１１８】
図４において、ＭｅＮＢおよびＳｇＮＢのプロトコルは共に、ＬＴＥおよびＮＲのＲＲＣプロトコルをそれぞれ終了させる。図から分かるように、したがって、ＵＥは、ＬＴＥ  ＲＲＣプロトコルインスタンスおよびＮＲ  ＲＲＣプロトコルインスタンスの両方を終了させる。ＰＤＣＰ、ＲＬＣ、ＭＡＣ、物理（ＰＨＹ）層プロトコルインスタンスなどの他のプロトコルインスタンスも、図４に概略的に示されている。一方、ＬＴＥ−ＮＲのタイトインターワーキングに組み込まれたＲＲＣを使用した制御シグナリングメカニズム（直接ＳＲＢおよびスプリットＳＲＢに加えて）は、図４にも例示されている。埋め込まれたＲＲＣは、直接ＳＲＢが利用可能でなく、ＳｇＮＢがＮＲレッグのみに影響を及ぼすＵＥを設定しなければならない場合に採用され得る。
【０１１９】
例えば、ＳｇＮＢはＸ２インタフェースを介してＲＲＣメッセージをＭｅＮＢに送信することができ、次いで、ＭｅＮＢはそのＲＲＣメッセージをそれ自体のＲＲＣメッセージに埋め込み、ＳＲＢ１（スプリットＳＲＢまたはＭＣＧ  ＳＲＢとすることができる）を介して送信する。次いで、ＵＥはコンテナＭｅＮＢ  ＲＲＣメッセージから埋め込まれたＮＲ  ＲＲＣメッセージを抽出し、ＮＲレッグ上で設定を適用することができる。アップリンク（ＵＬ）方向では、ＵＥがＭｅＮＢに向かうＬＴＥ  ＲＲＣメッセージにＮＲ  ＲＲＣメッセージを埋め込むことができ、ＭｅＮＢはこのＬＴＥ  ＲＲＣメッセージから埋め込まれたＮＲ  ＲＲＣメッセージを抽出し、それをＳｇＮＢに転送することができる。
【０１２０】
ＤＣをサポートするネットワークシナリオでは、例えば、ＵＥがＳＮへの接続（例えば、ＳＮのセルを介する接続）を維持することに失敗した場合などのいくつかの理由でＳＣＧ障害がトリガされてもよく、その場合、ＵＥはＳＣＧのプライマリセカンダリセル（ＰＳＣｅｌｌ）のためのリンク品質を監視する。代替として、ＳＣＧ障害は、ＳＣＧの変更の障害によってトリガされてもよい。ＳＣＧ障害回復を開始および実行するための１つまたは複数の手順は、ＳＣＧ障害に応答して実行され得る。
【０１２１】
ＳＣＧ障害回復手順を介して、ネットワークは、ＳＮへの接続が機能していないか、または切断されていることを通知され得る。これは、ＳＣＧ無線リンク障害情報をＵＥからＭＮに提供するために、ＳＣＧＦａｉｌｕｒｅＩｎｆｏｒｍａｔｉｏｎメッセージを送信することによって達成され得る。次いで、ＭＮは例えば、以前のＳＮを介して、または異なるＳＮを介して、新しいＳＣＧを回復または再確立することを試みることができる。例えば、ＭＮは、新しいＰＳＣｅｌｌを割り当てる必要があるかもしれない。
【０１２２】
例えば、ＳＣＧＦａｉｌｕｒｅＩｎｆｏｒｍａｔｉｏｎメッセージは、ＭＮによって設定された測定結果を含む、ＵＥへの接続を制御するための関連性の情報の種々のピースを含むＬＴＥ  ＲＲＣメッセージであってもよい。メッセージはまた、メッセージをトリガする理由に関する情報を搬送する原因フラグを含むことができる。
【０１２３】
ＬＴＥ  ＲＲＣの例示的な実施の形態によれば、ＳＣＧＦａｉｌｕｒｅＩｎｆｏｒｍａｔｉｏｎメッセージに含まれる測定結果は、２つのカテゴリの測定結果を含むことができる：
・ｍｅａｓＲｅｓｕｌｔＳｅｒｖＦｒｅｑＬｉｓｔ、これはサービング周波数の測定結果を含み；
・ｍｅａｓＲｅｓｕｌｔＮｅｉｇｈＣｅｌｌｓ、これは、非サービング周波数の測定結果を含む。
【０１２４】
ｍｅａｓＲｅｓｕｌｔＳｅｒｖＦｒｅｑＬｉｓｔで報告される測定結果について、各サービング周波数について報告されうる情報は、以下を含むことができる：
・（専用シグナリングを介してネットワークによって割り当てられ得る）サービングセルのＵＥ固有インデクスと、サービングセルのための参照信号受信電力／参照信号受信品質（ＲＳＲＰ／ＲＳＲＱ）と、
・同じ周波数上のサービングセルの最良隣接セルの物理セル識別子（ＰＣＩ）およびＲＳＲＰ／ＲＳＲＱ。
【０１２５】
ｍｅａｓＲｅｓｕｌｔＮｅｉｇｈＣｅｌｌｓで報告される測定結果について、各非サービング周波数について報告されうる情報は、以下を含むことができる：
・キャリア周波数と、
・その周波数で最良の測定セルの各セルのＰＣＩおよびＲＳＲＰ／ＲＳＲＱ。
【０１２６】
例示的な実施の形態によれば、最良の測定セルは、最良のリンク品質で測定または検出されるセルを含むことができる。代替的に又は追加的に、最良の測定セルは、所定の測定評価基準に従って決定された他の適切なセルを含むことができる。
【０１２７】
例示的なＳＣＧ障害の場合、ＵＥはＭＮおよびＳＮの両方からの現在の測定設定を維持することができ（例えば、ＵＥは自律動作を行わない）、ＵＥはＭＮからの設定に基づいて測定を継続することができる。例示的な実施の形態によれば、ＵＥはＳＣＧＦａｉｌｕｒｅＩｎｆｏｒｍａｔｉｏｎメッセージに、ＭＮおよびＳＮの両方の現在の測定設定に従って利用可能な測定結果を含めることができる。ＭＮがＳＣＧＦａｉｌｕｒｅＩｎｆｏｒｍａｔｉｏｎを処理し、次いでＳＮ／ＳＣＧを維持、変更、または解放することを決定できることが有利であり得る。これに対応して、ＳＮ設定による測定結果は、古いＳＮおよび／または新しいＳＮに転送することができる。また、新しいＳＮは、古いＳＮからの設定に基づいて測定結果を解釈することができることが望ましい場合がある。
【０１２８】
ＬＴＥ  ＤＣシナリオでは（ＣＡ／ＤＣ関連を含む）すべての設定がＭＮから来るので、ＭＮはセル、キャリア、および測定値の間の関連付けを含むすべての報告された情報を解釈することができる。一方、ＬＴＥ−ＮＲ  ＤＣシナリオでは、ＳＮは測定結果を単独で設定する能力も有する。したがって、特にいくつかの識別子がローカルにのみ一意である場合、ＭＮまたは別の新しいＳＮは、古いＳＮからの設定に従って測定結果を理解することができないことがある。例えば、ＳＮによって設定されたＳＣｅｌｌのサービングセルインデクスは、ＭＮによって使用されたものと同じであることがある。また、サービングセルインデクスの混同がない場合であっても、ＭＮは、ｍｅａｓＲｅｓｕｌｔＳｅｒｖＦｒｅｑＬｉｓｔ内の報告されたセルがどの周波数に関連付けられているかを知ることができない場合がある。ＬＴＥ  ＤＣの場合、設定を担当するのはＭＮであるので、ＳＣｅｌｌによって使用される周波数（ＳＣＧに属するか、ＭＣＧに属するかにかかわらず）とサービングセルインデクスとのマッピングを維持することができる。しかしながら、サービングセルの最良隣接情報に含まれるＰＣＩは、同じＰＣＩが異なる周波数で動作する２つのセルによって使用され得るので、周波数を識別するために使用され得ない。
【０１２９】
したがって、ＭＮおよび任意選択で新しいＳＮが古いＳＮからの設定に基づいて測定結果を解釈することを可能にするために、有効な解を導入することが望ましい場合がある。いくつかの例示的な実施の形態による第１の提案された解では、ＵＥは、ＭＮに送信されたレポート（ＳＣＧ障害メッセージなど）に、ＭＮ（または潜在的に新しいＳＮ）が測定結果を解釈／理解し、レポートを受信すると潜在的に動作することを可能にするいくつかの情報を含めることができる。例えば、レポートに含まれる情報は、ＳＮ関連セルおよび／または周波数と測定結果との間の関連付けを示すことができる。このようにして、障害がどこで発生したかを識別することができ、それによって、潜在的な曖昧さを解決することができる。
【０１３０】
本開示における第１の提案された解は、ＤＣをサポートするＵＥがＭＮおよびＳＮなどの２つのネットワークノードに接続され得るネットワークコンテキストに適用可能であり得る。したがって、ＵＥは、２つの別個の制御エンティティ（ＲＲＣ終端ポイントなど）によって、無線リソース管理のための測定を実行するよう設定され得る。測定結果の別々のレポートが、それぞれＭＮおよびＳＮに送信され得る。例示的な実施の形態では、ＭＮは、ＬＴＥ技術を使用することができ、ＳＮはＮＲ技術を使用することができる。
【０１３１】
本開示のいくつかの実施の形態は、特定の例示的なネットワーク設定およびシステム配備のための非限定的な例として使用されるＬＴＥまたはＮＲ仕様に関して主に説明されることに留意されたい。したがって、本明細書で与えられる例示的な実施の形態の説明は、それに直接関連する用語に特に言及する。そのような用語は、提示された非限定的な例および実施の形態の文脈においてのみ使用され、いかなる形でも本開示を当然に限定するものではない。むしろ、本明細書で説明される例示的な実施の形態が適用可能である限り、任意の他のシステム設定または無線技術が等しく利用され得る。
【０１３２】
例示的な実施の形態によれば、ＵＥは、ＳＮに向かう障害（ＳＣＧ障害など）を受けることがある。ＳＮに向かうＰＳＣｅｌｌへの無線接続不良の検出など、障害には異なる複数の原因がありうる。障害によってトリガされ、かつ、回復手順を介して、ＵＥは例えば、ＳＣＧ障害メッセージをＭＮに送信することによって、ＳＣＧ障害をＭＮに通知することができる。ＳＣＧ障害メッセージは、測定情報を含むことができる。例えば、測定情報は、ＭＮ  ＲＲＣ及びＳＮ  ＲＲＣの両方によって設定された測定結果を含むことができる。
【０１３３】
例示的な実施の形態によれば、ＳＣＧＦａｉｌｕｒｅＩｎｆｏｒｍａｔｉｏｎメッセージなどのＳＣＧ障害メッセージを送信するときに、ＳＮサービング周波数に関連する測定結果を、ＵＥの観点からサービング周波数または非サービング周波数のいずれかとして扱うことができる。ＳＮサービング周波数がＵＥによって非サービング周波数として扱われる例示的な実施の形態では、ＬＴＥ  ＲＲＣにおけるｍｅａｓＲｅｓｕｌｔＮｅｉｇｈＣｅｌｌｓに関して説明されるように、測定結果に関連する周波数情報は当然、ＳＣＧ障害メッセージに含まれ得る。周波数位置およびキャリア番号などの追加の周波数情報を用いて、ＭＮおよび任意選択で新しいＳＮは、古いＳＮからの設定に従って測定結果を理解することができる。
【０１３４】
ＳＮサービング周波数がＵＥによってサービング周波数として扱われる別の例示的な実施の形態では、３つの代替スキームが存在し得る。スキームＩでは、ＳＮによって設定された各サービング周波数の測定結果についても周波数情報がレポートされ得る。スキームＩＩでは、サービング周波数の測定結果は、２つの別個の部分またはリストでレポートされ得、そのようなリストは例えば、ＭＮ設定されたサービング周波数の測定結果のリストや、ＳＮ設定されたサービング周波数の測定結果の別のリストである。このように、ＭＮは、ＳＮサービング周波数の周波数情報がレポートされないにもかかわらず、ＳＮサービング周波数の測定結果をＭＮサービング周波数の測定結果から区別することができるので、ＭＮおよびＳＮがサービングセルインデクスをどのように割り当てるかについての調整を実行する必要がない。スキームＩＩＩでは、ＭＮおよびＳＮがサービングセルインデクスをどのように割り当てるかに関する調整を実行することができ、その結果、ＭＮおよびＳＮによって同じセルインデクスを使用することができない。したがって、サービング周波数の測定結果は、レガシーＬＴＥにおけるようにレポートされ得る。
【０１３５】
スキームＩＩおよびＩＩＩでは、ＭＮがそれらの測定結果に関連する周波数情報を知らないので、ＳＮからの設定に基づいて測定結果を解釈することができないことがある。しかしながら、ＭＮは例えば、スキームＩＩにおいてＵＥによって設定されるような測定結果の異なるリスト、またはスキームＩＩＩにおいてＭＮおよびＳＮによって調整されるようなグローバルに一意のサービングセルインデクスのいずれかによって、ＳＮからの設定に基づいて測定結果を認識することができる。この点に関して、ＭＮは、サービングセルインデクスからＳＮ設定周波数へのマッピングをＳＮに通知するようにＳＮに依頼することができる。
【０１３６】
本開示において第１の提案された解を適用することによって、ＭＮおよび潜在的に新しいＳＮが、ＵＥからのＳＣＧＦａｉｌｕｒｅＩｎｆｏｒｍａｔｉｏｎメッセージなどのレポートに含まれるすべての測定結果を理解することができるので、ＬＴＥ−ＮＲ  ＤＣなどのＤＣをサポートする通信ネットワークのパフォーマンスを大幅に改善することができる。次いで、ＭＮおよび／または新しいＳＮは、ネットワークに適切に接続するようにＵＥを再設定することができる。そうでなければ、ＵＥとネットワークとの間で新しい測定設定および新しい測定が必要とされることがあり、これはＳＣＧ障害から回復するための手順を遅延させることがある。
【０１３７】
図５Ａは、本開示のいくつかの実施の形態による方法５１０を示すフローチャートである。図５Ａに示される方法５１０は、端末デバイスにおいて実装されるか、または端末デバイスに通信可能に結合される装置によって実行され得る。例示的な実施の形態によれば、端末デバイスは、例えば、ＬＴＥネットワークノードがＵＥのＭＮであり、ＮＲネットワークノードがＵＥのＳＮであるＬＴＥ−ＮＲタイトインターワーキングシステム（ＥＮ−ＤＣとも呼ばれる）や、ＮＲネットワークノードがＵＥのＭＮであり、ＬＴＥネットワークノードがＵＥのＳＮであるＬＴＥ−ＮＲ  ＤＣシステム（ＮＥ−ＤＣとも呼ばれる）や、ＭＮおよびＳＮの両方がＮＲネットワークノードであるＮＲ−ＮＲ  ＤＣシステムや、ＤＣをサポートする任意の他の適切なシステムなどの、ＤＣをサポートする通信システムによって担当され得る。
【０１３８】
図５Ａに示される例示的な方法５１０によれば、端末デバイスは、ＭＮおよびＳＮに接続され得る。ブロック５１２に示すように、端末デバイスは、ＭＮおよびＳＮの設定に少なくとも部分的に基づいて測定情報を取得することができる。例えば、測定情報は、ＭＮおよびＳＮによって設定されたサービング周波数に関連する測定結果を備えることができる。
【０１３９】
例示的な実施の形態によれば、ＭＮおよびＳＮの両方は例えば、何を測定するか、どのように測定するか、およびどのようにレポートするかを指定することによって、ＵＥを設定することができる。無線リンク障害がない場合には、ＭＮの設定に応じた測定結果をＭＮに送信し、ＳＮの設定に応じた測定結果をＳＮに送信してもよい。しかしながら、ＳＮに関連する障害は、様々な理由により発生する可能性がある。ＳＮに関連する障害に応答して、端末デバイスはブロック５１４に示すように、測定情報を含むレポートをＭＮに送信することができる。例えば、ＳＣＧ障害などの無線リンク障害がある場合、ＵＥは、ＭＮおよびＳＮの両方の設定に従った利用可能な測定結果を含むＳＣＧＦａｉｌｕｒｅＩｎｆｏｒｍａｔｉｏｎメッセージをＭＮに送信することができる。
【０１４０】
図５Ｂは、本開示のいくつかの実施の形態による方法５２０を示すフローチャートである。図５Ｂに示される方法５２０は、ネットワークノードにおいて実装されるか、またはネットワークノードに通信可能に結合される装置によって実行され得る。例示的な実施の形態によれば、ネットワークノードは、マスタｅＮＢ（ＭｅＮＢ）またはマスタｇＮＢ（ＭｇＮＢ）などの、ＬＴＥ、５Ｇ  ＮＲ、または他の適切な無線技術をサポートするＭＮを備えることができる。
【０１４１】
図５Ａに示す例示的な方法５１０の動作に対応して、例示的な方法５２０のＭＮはブロック５２２に示すように、端末デバイスから測定情報を含むレポートを受信する。端末デバイスは、第１ネットワーク内のＭＮおよび第２ネットワーク内のＳＮに接続され得る。測定情報は、ＭＮおよびＳＮの設定に少なくとも部分的に基づく。例示的な実施の形態では、第１ネットワークはＬＴＥネットワークを備えることができ、第２ネットワークはＮＲネットワークを備えることができる。あるいはまた、第１ネットワークはＮＲネットワークを備えることができ、第２ネットワークはＬＴＥネットワークまたはＮＲネットワークを備えることができる。例示的な方法を実行するときに、他の適切な無線アクセス技術も適用され得ることが理解されるのであろう。
【０１４２】
ブロック５２４において、ＭＮは、測定情報を解釈することができる。例えば、ＭＮは、ＭＮおよびＳＮによって設定されたサービング周波数に関連する測定結果を抽出することができる。例示的な実施の形態によれば、測定情報は、端末デバイスの再設定手順を可能にするために解釈されてもよい。例えば、再設定手順は、測定情報に少なくとも部分的に基づいて、端末デバイスの別のＳＮを決定することと、ＳＮによって設定されたサービング周波数に関連する測定結果の少なくとも一部を別のＳＮに送信することとを含んでもよい。
【０１４３】
例示的な実施の形態によれば、端末デバイスからＭＮに送信されるレポートは、ＳＮに関連する障害をＭＮに通知するための障害メッセージ（ＳＣＧＦａｉｌｕｒｅＩｎｆｏｒｍａｔｉｏｎメッセージまたは他の適切な信号メッセージなど）を備えることができる。
【０１４４】
例示的な実施の形態によれば、レポートは、ＳＮによって設定されたサービング周波数と、サービング周波数に関連付けられた測定結果と、の間の関連付けを示すことができる。例えば、関連付けは、ＳＮによって設定されたサービング周波数の指示によって示され得る。あるいはまた、関連付けは、ＳＮによって設定されたサービング周波数上のサービングセルのインデクスによって示されてもよく、サービングセルのインデクスはサービング周波数とのマッピング関係を有することができる。
【０１４５】
関連付けがＳＮによって設定されたサービング周波数の指示によって示される例示的な実施の形態によれば、ＵＥはＳＮによって設定されたサービング周波数（例えば、ＳＣＧセルによって使用されるすべての周波数）を非サービング周波数として扱うことができる。このようにして、ＵＥはＭＮに送信されるレポートに、ＳＮによって設定されたサービング周波数またはキャリアの周波数情報を含めることができる。例えば、周波数情報は１つ以上のリソースブロックが送信される正確な周波数位置（例えば、キャリア周波数内の）を含んでもよい。周波数位置はキャリアの中心にあってもよいし、中心からシフトされた異なる周波数位置にあってもよい。代替的にまたは追加的に、周波数情報はいくつかのキャリア情報、例えば、キャリア番号（絶対無線周波数チャネル番号（ＡＲＦＣＮ）の値など）および追加の周波数シフトを含むことができる。
【０１４６】
ＳＮによって設定されたサービング周波数が非サービング周波数として扱われる場合、ＳＮによって設定されたサービング周波数に関連する測定結果は、サービング周波数上の最良の測定セルの識別子（ＰＣＩなど）と、最良の測定セルの参照信号品質の指示（ＲＳＲＰ／ＲＳＲＱなど）と、を備えることができる。レポートに含まれるこれらの情報を用いて、ＭＮは、測定結果がＭＮまたはＳＮに関連付けられているかどうかにかかわらず、受信された測定結果を解釈することができる。測定結果のレポートは、ＳＣＧＦａｉｌｕｒｅＩｎｆｏｒｍａｔｉｏｎメッセージを含むことができ、その構造を変更する必要はない。
【０１４７】
なお、この場合、ＳＮで設定されるサービング周波数をサービング周波数として扱う場合に比べて、情報の損失が生じる場合がある。サービング周波数について、ＵＥは測定レポートのサービング周波数部分にＰＳＣｅｌｌ周波数およびＳＣｅｌｌ周波数を含めることができ、また、各セルについての最良の隣接セルの測定結果を含めることができる。しかしながら、ＰＳＣｅｌｌ周波数およびＳＣｅｌｌ周波数を測定レポートの非サービング周波数部分として扱う場合、各周波数上の最良の測定セルに関する情報のみがレポートに含まれてもよい。
【０１４８】
この観点から、ＳＣＧＦａｉｌｕｒｅＩｎｆｏｒｍａｔｉｏｎメッセージを、ＳＣＧのサービングセルが非サービング周波数部分に含まれるように修正することが可能であり、一方、追加の隣接情報も、サービング周波数部分と同様に含めることができる。例示的な実施の形態によれば、サービング周波数上の最良の測定セルの識別子（ＰＣＩなど）と、最良の測定セルの参照信号品質の指示（ＲＳＲＰ／ＲＳＲＱなど）と、に加えて、ＳＮによって設定されたサービング周波数に関連付けられた測定結果は、最良の測定セルの最良隣接セルの識別子（ＰＣＩなど）と、最良隣接セルの参照信号品質の指示（ＲＳＲＰ／ＲＳＲＱなど）と、をさらに備えることができる。
【０１４９】
関連付けがＳＮによって設定されたサービング周波数の指示によって示される例示的な実施の形態によれば、ＵＥはまた、ＳＮによって設定されたサービング周波数をサービング周波数として扱うことができる。この場合、ＵＥは、以前に障害を起こしたＳＮとは異なる他のノード（ＵＥが再設定され得るＭＮまたは新しいＳＮなど）がこれらの測定結果および／または障害関連情報を解釈する（およびレポートの受信時にアクションをとる可能性がある）ことを可能にするために、測定結果のレポート中にサービング周波数に関連するいくつかの周波数情報をさらに含めることができる。
【０１５０】
ＳＮによって設定されたサービング周波数がサービング周波数として扱われる場合、ＳＮによって設定されたサービング周波数に関連する測定結果は、サービング周波数上のサービングセルのインデクスと、サービングセルの参照信号品質（ＲＳＲＰ／ＲＳＲＱなど）の指示と、サービングセルの最良隣接セルの識別子（ＰＣＩなど）と、最良隣接セルの参照信号品質（ＲＳＲＰ／ＲＳＲＱなど）の指示と、を備えることができる。
【０１５１】
例示的な実施の形態によれば、ＭＮ（および任意選択で、測定結果を後に転送することができる新しいＳＮ）が測定結果を、そのような測定結果が古いＳＮからの設定に基づいている場合であっても、解釈することができるようにするために、ＳＣＧＦａｉｌｕｒｅＩｎｆｏｒｍａｔｉｏｎメッセージなどの測定レポートの構造は、ＳＮによって設定されたサービング周波数に関連する周波数情報を含めるための拡張を必要とすることがある。例えば、新たなＳＣＧＦａｉｌｕｒｅＩｎｆｏｒｍａｔｉｏｎメッセージは、ボックスに示されるように、ＳＮ設定サービング周波数の周波数情報を示すフィールドを追加することによって、以下のように設計されてもよい。
0006980033.tif 000002
【０１５２】
周波数情報フィールドは、ＭＮがすでにそれを認識しているので、ＭＣＧのサービングセルのために周波数情報が必要とされないことがあるので、オプションのフィールドとすることができることに留意されたい。ここでは「ＡＲＦＣＮ−ＶａｌｕｅＥＵＴＲＡ」という用語が使用されているが、関連する電波技術によっては他の適当な用語も使用されることがある。例えば、ＳＮがＮＲに関連付けられている場合、レポートされた周波数情報は、ＮＲに関連付けられ得る。したがって、「ＡＲＦＣＮ−ＶａｌｕｅＮＲ」などの用語は、周波数情報フィールドに使用することができる。
【０１５３】
例示的な実施の形態では、周波数情報フィールドは、１つまたは複数の無線リソースブロックが送信される周波数位置（たとえば、キャリア周波数内の）を示すことができる。周波数情報フィールドの可能なパラメータまたは値は、キャリアの中心、または中心からシフトされた異なる周波数位置を示すことができる。任意選択で、ＮＲ周波数情報は、キャリア情報（ＡＲＦＣＮ−ＶａｌｕｅＮＲによって表されるキャリア番号など）および追加の周波数シフトを含むことができる。したがって、レポートのサイズを大きくすることができる。しかしながら、例えば、レポートは原則として依然として良好なリンクを有するＭＮを介して送信され、障害事象はまれであり、したがって、（例えば、通常の測定レポートと比較して）恒常的に発生するというわけではなため、問題にならないことがある。
【０１５４】
ＳＮによって設定されたサービング周波数と測定結果との間の関連がサービング周波数とマッピング関係を有するサービングセルのインデクスによって示される例示的な実施の形態によれば、ＵＥは、ＳＮによって設定されたサービング周波数をサービング周波数として扱うことができる。したがって、ＳＮ設定されたサービング周波数に関連する測定結果に対応する干渉情報をＭＮに報告する必要がないことがある。この場合、ＭＮによって設定されたサービング周波数に関連する測定結果は、ＳＮによって設定されたサービング周波数に関連する測定結果からレポート内で分離され得る。したがって、サービングセルのインデクスは、ＭＮとの調整なしにＳＮによって割り当てられ得る。
【０１５５】
例えば、新たなＳＣＧＦａｉｌｕｒｅＩｎｆｏｒｍａｔｉｏｎメッセージは、ボックスに示されるように、測定結果を２つの部分、すなわち、ＭＮによって設定されるサービング周波数のためのものと、ＳＮによって設定されるサービング周波数のためのものと、に分割することによって、以下のように設計されてもよい。
0006980033.tif 000003
【０１５６】
同様に、周波数情報フィールドは、ＭＮがすでにそれを認識しているので、ＭＣＧのサービングセルのために周波数情報が必要とされないことがあるので、オプションのフィールドとすることができることに留意されたい。ＳＮによって設定されたサービング周波数に関連付けられた測定結果について、ＭＮ（および任意選択で新しいＳＮ）は、２つのタイプの測定結果がレポート内で分離可能であるため、ＭＮによって設定されたサービング周波数に関連付けられた測定結果からそれらを区別することが可能であり得る。
【０１５７】
ＭＮはＳＮに関連する測定結果を認識することができるが、これらの測定結果はＳＮからの設定に基づくので、それらを解釈することができない場合がある。この点に関して、ＭＮは例えば、既存のおよび／または新たに設計されたシグナリングを介して、サービングセルインデクスからサービング周波数へのマッピングを示す情報についてＭＮに通知するように、ＳＮに要求することができる。この場合、ＳＣＧＦａｉｌｕｒｅＩｎｆｏｒｍａｔｉｏｎメッセージのサイズは増加されなくてもよいが、サービングセルインデクスからサービング周波数へのマッピングを容易にするために、ＭＮとＳＮとの間のシグナリング通信が必要とされてもよい。
【０１５８】
代替的にまたは追加的に、ＭＮは、ＳＮから意図的に要求することなく、他のプロセスを介してサービングセルインデクスからサービング周波数へのマッピングを示す何らかの情報をＳＮから取得することができる。例えば、ＳＣＧのＳＣｅｌｌの追加および削除は、ＳＮによって決定されるものであるが、ＵＥがサポートすることができるキャリアの総数の制限のために、依然としてＭＮと調整されなければならない場合がある。さらに、ＵＥは、ＬＴＥキャリアとＮＲキャリアとの間の全ての可能な帯域の組み合わせをサポートしなくてもよい。したがって、ＳＣＧセルのためのセルインデクス対周波数マッピングは、そのような調整プロセスの一部として暗黙的に収集することができる。
【０１５９】
ＳＮ設定サービング周波数と測定結果との間の関連がサービング周波数とマッピング関係を有するサービングセルのインデクスによって示される例示的な実施の形態によれば、サービングセルのインデクスは、ＭＮとＳＮとの調整によって割り当てられ得る。例えば、ＭＮおよびＳＮは、同じサービングセルインデクスがＭＮおよびＳＮの両方によって使用されないことを確実にするために、サービングセルインデクスの割り当てを調整することができる。この場合、サービングセルのインデクスは、グローバルに一意のインデクスであってもよく、したがって、関連する周波数情報がＭＮにレポートされなくても、レポート内で測定結果を異なる部分に分割する必要がない場合がある。言い換えると、ＵＥはＳＮによって設定されたサービング周波数をサービング周波数として扱い、レガシーＬＴＥと同様に測定結果をレポートすることができる。
【０１６０】
グローバルに一意のセルインデクスを介して、ＭＮはＳＮに関連する測定結果を認識することができるが、これらの測定結果はＳＮからの設定に基づくため、それらを解釈することができない場合がある。この場合、サービングセルのインデクスと、ＳＮによって設定されたサービング周波数との間のマッピング関係は、ＭＮによってＳＮから収集され得る。例えば、ＭＮは、サービングセルインデクスからサービング周波数へのマッピングを示す情報についてＭＮに通知するようにＳＮに要求することができる。代替として、または追加として、ＳＣＧセルのためのセルインデクス対周波数マッピングは、ＭＮとＳＮとの間の１つまたは複数の以前の調整処理の一部として暗黙的に収集され得る。
【０１６１】
例示的な実施の形態によれば、端末デバイスによって取得された測定情報は、ＭＮおよびＳＮによって使用されるビームに関連する測定結果をさらに含むことができる。例えば、ＳＣＧＦａｉｌｕｒｅＩｎｆｏｒｍａｔｉｏｎメッセージは、ＳＣＧＦａｉｌｕｒｅＩｎｆｏｒｍａｔｉｏｎメッセージの高レベル構造が変更されなくても、ビーム測定結果を含むように拡張することができる。
【０１６２】
図５Ｃは、本開示のいくつかの実施の形態による方法５３０を示すフローチャートである。図５Ｃに示される方法５３０は、ネットワークノードにおいて実装されるか、またはネットワークノードに通信可能に結合される装置によって実行され得る。例示的な実施の形態によれば、ネットワークノードは、セカンダリｅＮＢ（ＳｅＮＢ）またはセカンダリｇＮＢ（ＳｇＮＢ）などの、ＬＴＥ、５Ｇ  ＮＲ、または他の適切な無線技術をサポートするＳＮを備えることができる。
【０１６３】
図５Ｂに示す例示的な方法５２０の動作に対応して、例示的な方法５３０のＳＮはブロック５３２に示すように、ＳＮによって設定されたサービング周波数と、サービング周波数に関連する測定結果と、の間の関連付けを決定する。例えば、関連付けは、ＳＮによって設定されたサービング周波数と、サービング周波数上のサービングセルのインデクスとの間のマッピング関係を備えることができる。サービング周波数は、ＭＮおよびＳＮに接続されるＵＥなどの端末デバイスのために設定され得る。
【０１６４】
ブロック５３４において、ＳＮは端末デバイスに関連する測定情報を解釈するために、ＭＮに関連付けを提供する。例えば、関連付けは、ＭＮによって要求されたときに提供され、またはＭＮとＳＮとの間の調整プロセスにおいて提供され得る。前述のように、測定情報は、ＭＮおよびＳＮの設定に少なくとも部分的に基づいてもよい。したがって、測定情報は、少なくとも、ＳＮによって設定されたサービング周波数に関連付けられた測定結果を備えることができる。したがって、ＭＮは例えば、ＳＮ設定されたサービング周波数と、サービング周波数に関連付けられた測定結果との間の関連付けを利用することによって、測定情報を解釈することが可能であり得る。
【０１６５】
１つまたは複数の例示的な実施の形態による第１の提案された解は、ＵＥからのレポート中の測定情報のコンテンツをＭＮが理解することを可能にすることができる。第１の提案された解の利点を利用することにより、ＭＮによる測定結果を使用して、もしあれば、別のノードを新しいＳＮとして決定することが可能になる。別のノードをＵＥのための新しいＳＮとして指定することが決定された場合、ＭＮは古いＳＮキャリア／周波数に関連する測定情報から抽出されたいくつかの関連情報を新しいＳＮに向けて転送することができ、その結果、新しいＳＮは、ＵＥのＰＳＣｅｌｌおよびＳＣＧ  ＳＣｅｌｌを選択するためにそれを使用することができる。
【０１６６】
図５Ｄは、本開示のいくつかの実施の形態による装置５４０を示すブロック図である。図５Ｄに示されるように、装置５４０は、取得部５４１および送信部５４２を備え得る。例示的な実施の形態では、装置５４０はＵＥなどの端末デバイスにおいて実装され得る。取得部５４１はブロック５１２の動作を実行するように動作可能であり、送信部５４２は、ブロック５１４の動作を実行するように動作可能である。任意選択で、取得部５４１および／または送信部５４２は本開示の例示的な実施の形態による提案された方法を実施するために、より多くのまたはより少ない動作を実行するように動作可能であってもよい。
【０１６７】
図５Ｅは、本開示のいくつかの実施の形態による装置５５０を示すブロック図である。図５Ｅに示されるように、装置５５０は、受信部５５１および解釈部５５２を備え得る。例示的な実施の形態では、装置５５０はＭＮなどのネットワークノードにおいて実装され得る。受信部５５１はブロック５２２における動作を実行するように動作可能であり、解釈部５５２は、ブロック５２４における動作を実行するように動作可能である。任意選択で、受信部５５１および／または解釈部５５２は本開示の例示的な実施の形態による提案された方法を実施するために、より多くのまたはより少ない動作を実行するように動作可能であってもよい。
【０１６８】
図５Ｆは、本開示のいくつかの実施の形態による装置５６０を示すブロック図である。図５Ｆに示されるように、装置５６０は、決定部５６１および提供部５６２を備え得る。例示的な実施の形態では、装置５６０はＳＮなどのネットワークノードにおいて実装され得る。決定部５６１はブロック５３２における動作を実行するように動作可能であり、提供部５６２は、ブロック５３４における動作を実行するように動作可能である。任意選択で、決定部５６１および／または提供部５６２は本開示の例示的な実施の形態による提案された方法を実施するために、より多くのまたはより少ない動作を実行するように動作可能であってもよい。
【０１６９】
ＤＣをサポートするネットワークシナリオでは、ＭＮはＵＥのためのＳＮ追加またはＳＮ変更手順を開始することができる。したがって、ＵＥは、ＭＮに基づく測定設定に従って、いくつかの測定情報をＭＮに送信することができる。ＭＮは測定情報を取得すると、ＳＮ追加の場合にどのターゲットＳＮを追加するか、またはＳＮ変更の場合にどのターゲットＳＮに変更するかを決定し、次いで、関連する測定情報を選択されたターゲットＳＮに転送することができ、その結果、ターゲットＳＮは関連する測定情報を使用して、どのセルがプライマリセルであり、どのセル（もしあれば）がセカンダリセルであるかを決定することができる。
【０１７０】
同様に、ＳＮは、ＵＥのＳＮ変更手順を開始することもできる。したがって、ＵＥは、ＳＮに基づく測定設定に従って、いくつかの測定情報をＳＮに送信することができる。ＳＮは測定情報を取得すると、どの新しいＳＮに変更するかを決定し、次いで、関連する測定情報を選択された新しいＳＮにＭＮを介して転送することができ、その結果、新しいＳＮは関連する測定情報を使用して、どのセルがプライマリセルであり、どのセル（もしあれば）がセカンダリセルであるかを決定することができる。
【０１７１】
ＬＴＥ  ＤＣでは、測定情報の通信はＳＮ追加手順中にＳＣＧ設定情報を介して実行されてもよい。セカンダリセルのセル識別を含むＳｃｅｌｌＴｏＡｄｄＭｏｄＬｉｓｔＳＣＧなどのいくつかの情報、例えば、サービングセル対周波数／物理セル識別子（ＰＣＩ）マッピングのインデクスもまた、ＳＮ追加手順に含まれ得る。
【０１７２】
ＬＴＥ−ＮＲインターワーキングの場合、追加するセカンダリセルの決定はＳＮの裁量なので、ＳｃｅｌｌＴｏＡｄｄＭｏｄＬｉｓｔＳＣＧ  を持つ必要はないかもしれない。したがって、特にいくつかの識別子がローカルにのみ一意である場合、新しいＳＮは、ＭＮまたは古いＳＮからの設定に従って測定結果を理解することができないことがある。例えば、ＭＮによって設定されたＳＣｅｌｌのサービングセルインデクスは、新たなＳＮによって使用されたものと同じであることがある。また、サービングセルインデクスの混同がない場合であっても、新しいＳＮは、どの周波数が測定結果に関連付けられているかを知ることができない場合がある。ＬＴＥ  ＤＣの場合、設定を担当するのはＭＮであるので、ＳＣｅｌｌによって使用される周波数（ＳＣＧに属するか、ＭＣＧに属するかにかかわらず）とサービングセルインデクスとのマッピングを維持することができる。
【０１７３】
したがって、新しいＳＮがＭＮまたは古いＳＮからの設定に基づいて測定情報を解釈することを可能にするために、有効な解を導入することが望ましい場合がある。いくつかの例示的な実施の形態による第２の提案された解では、ＵＥに関連付けられた測定情報を含むレポートが新しいＳＮに送信され得る。新しいＳＮが報告された測定情報を解釈／理解することを可能にするために、レポートは周波数／ＰＣＩ情報と測定結果との間の関連付けを示すことができる。例えば、レポートは、周波数位置およびキャリア番号などの追加の周波数情報を示すことができ、したがって、新しいＳＮは、ＭＮおよび／または古いＳＮからの設定に従って測定結果を理解することができる。
【０１７４】
本開示における第２の提案された解は、ＵＥがＭＮおよびＳＮなどの２つのネットワークノードに接続され得るネットワークコンテキストに適用可能であり得る。例えば、ＵＥは、２つの別個の制御エンティティ（ＲＲＣ終端ポイントなど）によって、無線リソース管理のための測定を実行するよう設定され得る。測定結果の別々のレポートが、それぞれＭＮおよびＳＮに送信され得る。例示的な実施の形態では、ＭＮは、ＬＴＥ技術を使用することができ、ＳＮはＮＲ技術を使用することができる。
【０１７５】
本開示において第２の提案された解を適用することによって、新しいＳＮがＵＥからのすべての測定結果を理解できるので、ＬＴＥ−ＮＲインターワーキングネットワークのような通信ネットワークの性能は著しく改善され得る。次いで、ＵＥは、新しいＳＮに適切に接続され得る。
【０１７６】
図６Ａは、本開示のいくつかの実施の形態による方法６１０を示すフローチャートである。図６Ａに示される方法６１０は、ネットワークノードにおいて実装されるか、またはネットワークノードに通信可能に結合される装置によって実行され得る。例示的な実施の形態によれば、ネットワークノードは、マスタｅＮＢ（ＭｅＮＢ）またはマスタｇＮＢ（ＭｇＮＢ）などの、ＬＴＥ、５Ｇ  ＮＲ、または他の適切な無線技術をサポートするＭＮを備えることができる。
【０１７７】
図６Ａに示す例示的な方法６１０によれば、ブロック６１２に示すように、ＭＮは、少なくともＭＮに接続された端末デバイスに関連する測定情報を取得することができる。例えば、端末デバイスは、例えば、ＬＴＥネットワークノードがＵＥのＭＮであり、任意選択でＮＲネットワークノードがＵＥのＳＮであるＬＴＥ−ＮＲタイトインターワーキングシステム（ＥＮ−ＤＣとも呼ばれる）や、ＮＲネットワークノードがＵＥのＭＮであり、任意選択でＬＴＥネットワークノードがＵＥのＳＮであるＬＴＥ−ＮＲ  ＤＣシステム（ＮＥ−ＤＣとも呼ばれる）や、ＭＮおよび任意選択でＳＮがＮＲネットワークノードであるＮＲ−ＮＲ  ＤＣシステムや、ＤＣをサポートする任意の他の適切なシステムなどの、ＤＣをサポートする通信システムによって担当され得る。
【０１７８】
例示的な実施の形態によれば、ブロック６１４に示すように、ＭＮは、測定情報を含むレポートを第１ＳＮに送信することができる。レポートは、測定情報に関連付けられた周波数情報を示すことができる。
【０１７９】
例示的な実施の形態によれば、レポートの送信は、第１ＳＮの決定に応答することができる。例示的な実施の形態では、ＭＮは第１ＳＮの決定を開始することができる。例えば、ＭＮは、端末デバイスがＭＮによって決定された第１ＳＮに接続され得るように、端末デバイスのためのＳＮ追加手順を開始し得る。
【０１８０】
例示的な実施の形態によれば、端末デバイスは、ＭＮおよび第２ＳＮに接続され得る。ＭＮは、端末デバイスが第２ＳＮへの接続から、ＭＮによって決定された第１ＳＮに接続されるように変わることができるように、端末デバイスのためのＳＮ変更手順を開始することができる。
【０１８１】
第１ＳＮの決定がＭＮによって開始される例示的な実施の形態によれば、測定情報は、端末デバイスから取得され得る。測定情報は、ＭＮによって設定されたサービング周波数に関連する測定結果を含むことができる。
【０１８２】
任意選択で、端末デバイスがＭＮおよび第２ＳＮに接続されている場合、第２ＳＮは、第１ＳＮの決定を開始することができる。例えば、第２ＳＮは、端末デバイスが第２ＳＮへの接続から第１ＳＮに接続されるように変わることができるように、端末デバイスのためのＳＮ変更手順を開始することができる。
【０１８３】
第１ＳＮの決定が第２ＳＮによって開始される例示的な実施の形態によれば、測定情報は、ＭＮによって第２ＳＮから取得され得る。例えば、第２ＳＮは、端末デバイスから測定情報を取得することができる。したがって、測定情報は、第２ＳＮによって設定されたサービング周波数に関連する測定結果を含むことができる。この場合、ブロック６１２に示されるように、端末デバイスに関連付けられた測定情報を取得する動作は、測定情報に関連付けられた周波数情報を第２ＳＮから取得することをさらに備え得る。
【０１８４】
例示的な実施の形態によれば、周波数情報は、サービング周波数の指示および物理セル識別子（ＰＣＩ）のうちの少なくとも１つを備えることができる。
【０１８５】
図６Ｂは、本開示のいくつかの実施の形態による方法６２０を示すフローチャートである。図６Ｂに示される方法６２０は、ネットワークノードにおいて実装されるか、またはネットワークノードに通信可能に結合される装置によって実行され得る。例示的な実施の形態によれば、ネットワークノードは、セカンダリｅＮＢ（ＳｅＮＢ）またはセカンダリｇＮＢ（ＳｇＮＢ）などの、ＬＴＥ、５Ｇ  ＮＲ、または他の適切な無線技術をサポートするＳＮを備えることができる。
【０１８６】
図６Ａに示されるような例示的な方法６１０の動作に対応して、例示的な方法６２０におけるＳＮは、ＭＮまたは第２ＳＮによって決定される第１ＳＮを参照し得る。ブロック６２２に示すように、第１ＳＮは、ＭＮから測定情報を含むレポートを受信することができる。測定情報は、少なくともＭＮに接続された端末デバイスに関連付けられてもよい。レポートは、測定情報に関連付けられた周波数情報（例えば、サービング周波数および／またはＰＣＩの指示）を示してもよい。したがって、ブロック６２４に示すように、第１ＳＮは測定情報を解釈することができる。
【０１８７】
例示的な実施の形態によれば、レポートの受信は、第１ＳＮの決定に応答することができる。端末デバイスがＭＮおよび任意選択で第２ＳＮに接続され得ることを考慮すると、測定情報は、ＭＮおよび第２ＳＮによって設定されたサービング周波数のうちの少なくとも１つに関連する測定結果を備えることができる。一方、第１ＳＮの決定は、ＭＮまたは第２ＳＮによって開始され得る。
【０１８８】
例示的な実施の形態によると、周波数情報は１つ以上のリソースブロックが送信される正確な周波数位置（例えば、キャリア周波数内の）を含んでもよい。周波数位置はキャリアの中心にあってもよいし、中心からシフトされた異なる周波数位置にあってもよい。代替的にまたは追加的に、周波数情報はいくつかのキャリア情報、例えば、キャリア番号（絶対無線周波数チャネル番号（ＡＲＦＣＮ）の値など）および追加の周波数シフトを含むことができる。
【０１８９】
図６Ｃは、本開示のいくつかの実施の形態による方法６３０を示すフローチャートである。図６Ｃに示される方法６３０は、ネットワークノードにおいて実装されるか、またはネットワークノードに通信可能に結合される装置によって実行され得る。例示的な実施の形態によれば、ネットワークノードは、セカンダリｅＮＢ（ＳｅＮＢ）またはセカンダリｇＮＢ（ＳｇＮＢ）などの、ＬＴＥ、５Ｇ  ＮＲ、または他の適切な無線技術をサポートするＳＮを備えることができる。
【０１９０】
図６Ｂに示される例示的な方法６２０の動作に対応して、例示的な方法６３０におけるＳＮは、端末デバイスが接続される第２ＳＮを参照し得る。ブロック６３２に示すように、第２ＳＮは、ＭＮおよび第２ＳＮに接続された端末デバイスに関連する測定情報を取得することができる。例えば、測定情報は、端末デバイスから取得されてもよく、第２ＳＮによって設定されたサービング周波数に関連付けられた測定結果を含んでもよい。
【０１９１】
例示的な実施の形態によれば、ブロック６３４に示すように、第２ＳＮは、測定情報を含むレポートをＭＮに送信することができる。例えば、レポートは、測定情報に関連付けられた周波数情報を示すことができる。
【０１９２】
例示的な実施の形態によれば、レポートの送信は、第１ＳＮの決定に応答することができる。例えば、第１ＳＮの決定は、第２ＳＮによって開始されてもよい。
【０１９３】
１つまたは複数の例示的な実施の形態による第２の提案された解は、ＵＥからの測定情報のコンテンツを新たなＳＮが理解することを可能にすることができる。第２の提案された解の利点を利用することにより、新しいＳＮによる測定結果を適切に使用することが可能になる。ＵＥのための新しいＳＮを指定することが決定される場合、ＭＮはいくつかの関連測定情報を新しいＳＮに転送することができ、その結果、新しいＳＮはＵＥのＰＳＣｅｌｌおよびＳＣＧ  ＳＣｅｌｌを選択するために、関連測定情報を使用することができる。
【０１９４】
図６Ｄは、本開示の別の実施の形態による装置６４０を示すブロック図である。図６Ｄに示されるように、装置６４０は、取得部６４１および送信部６４２を備え得る。例示的な実施の形態では、装置６４０はＭＮなどのネットワークノードにおいて実装され得る。取得部６４１はブロック６１２の動作を実行するように動作可能であり、送信部６４２は、ブロック６１４の動作を実行するように動作可能である。任意選択で、取得部６４１および／または送信部６４２は本開示の例示的な実施の形態による提案された方法を実施するために、より多くのまたはより少ない動作を実行するように動作可能であってもよい。
【０１９５】
図６Ｅは、本開示のいくつかの実施の形態による装置６５０を示すブロック図である。図６Ｅに示されるように、装置６５０は、受信部６５１および解釈部６５２を備え得る。例示的な実施の形態では、装置６５０は第１ＳＮなどのネットワークノードにおいて実装され得る。受信部６５１はブロック６２２における動作を実行するように動作可能であり、解釈部６５２は、ブロック６２４における動作を実行するように動作可能である。任意選択で、受信部６５１および／または解釈部６５２は本開示の例示的な実施の形態による提案された方法を実施するために、より多くのまたはより少ない動作を実行するように動作可能であってもよい。
【０１９６】
図６Ｆは、本開示のいくつかの実施の形態による装置６６０を示すブロック図である。図６Ｆに示されるように、装置６６０は、取得部６６１および送信部６６２を備え得る。例示的な実施の形態では、装置６６０は第２ＳＮなどのネットワークノードにおいて実装され得る。取得部６６１はブロック６３２の動作を実行するように動作可能であり、送信部６６２は、ブロック６３４の動作を実行するように動作可能である。任意選択で、取得部６６１および／または送信部６６２は本開示の例示的な実施の形態による提案された方法を実施するために、より多くのまたはより少ない動作を実行するように動作可能であってもよい。
【０１９７】
いくつかの例示的な実施の形態によれば、レポート（障害レポートまたは測定レポートなど）内の周波数情報への拡張は、オプションＩおよびオプションＩＩのうちの少なくとも１つに関するいくつかの情報を追加することによって実施され得る。オプションＩに関する情報は周波数位置を含んでもよく、同期信号／物理報知チャネル（ＳＳ／ＰＢＣＨ）ブロックがそれで送信される。オプションＩＩに関する情報は参照位置を含んでもよく、チャネル状態情報参照信号（ＣＳＩ−ＲＳ）周波数位置をその参照位置から導出することができる。
【０１９８】
オプションＩに関する情報について、１つの可能性は、グローバル同期チャネル番号（ＧＳＣＮ）としても知られている同期ラスタチャネル番号付けを用いてそれを符号化することである。別の可能性は、絶対無線周波数チャネル番号（ＡＲＦＣＮ）としても知られているチャネルラスタチャネル番号付けでそれを符号化することである。さらなる可能性は、ＧＳＣＮまたはＡＲＦＣＮとすることができる参照周波数からの１つまたは複数のオフセットでそれを符号化することである。オプションＩについての情報と比較して、オプションＩＩについての情報は、ポイントＡのいわゆる周波数位置であってもよい。
【０１９９】
例示的な実施の形態によれば、オプションＩおよびオプションＩＩのうちの少なくとも１つに関する情報は、障害／測定レポートに含まれるべき測定のタイプにかかわらず、障害／測定レポートに周波数情報として含まれてもよい。
【０２００】
例示的な実施の形態によれば、ＵＥなどの端末デバイスが障害／測定レポートにＳＳ／ＰＢＣＨブロックベースの測定値を含めることが意図されている場合、オプションＩに関する情報は、障害／測定レポートに周波数情報として含めることができる。
【０２０１】
例示的な実施の形態によれば、ＵＥなどの端末デバイスが障害／測定レポートにＣＳＩ−ＲＳベースの測定値を含めることが意図されている場合、オプションＩＩに関する情報は、障害／測定レポートに周波数情報として含めることができる。この場合、追加のＣＳＩ−ＲＳ周波数情報もまた、例えば、ＣＳＩ−ＲＳリソースが送信されている正確な周波数リソースを含めることができる。
【０２０２】
図７Ａは、本開示の実施の形態による障害手順を示す図である。この手順の目的は、ＵＥが経験したＳＣＧ障害について、エバルブドユニバーサルテレストリアルラジオアクセスネットワーク（ＥＵＴＲＡＮ）またはＮＲ  ＭＮに通知することであり、そのようなＳＣＧ障害は、例えば、ＳＣＧ無線リンク障害、ＳＣＧ変更障害、ＳＲＢ３上のＲＲＣメッセージのＳＣＧ設定障害、ＳＣＧ完全性検査障害、および最大アップリンク送信タイミング差を超えたことである。
【０２０３】
例示的な実施の形態によれば、ＵＥはＳＣＧ送信が中断されず、以下の条件のうちの１つが満たされる場合に、無線アクセスネットワーク（ＲＡＮ）にＳＣＧ障害を報告するための手順を開始することができる：
【０２０４】
−ＳＣＧの無線リンク障害の検出時；
【０２０５】
−ＳＣＧの同期障害を伴う再設定時；
【０２０６】
−最大アップリンク送信タイミング差を超えたために、ＳＣＧのＳｐＣｅｌｌに向かうアップリンク送信を停止したとき；
【０２０７】
−ＳＣＧ設定障害時；および
【０２０８】
−ＳＣＧ下位レイヤからの完全性検査障害インジケーション時。
【０２０９】
例示的な実施の形態によれば、手順の開始に応答して、ＵＥは、以下のことを行うことができる：
【０２１０】
−すべてのＳＲＢおよびＤＲＢに対するＳＣＧ送信を中断する；
【０２１１】
−  ＳＣＧ−ＭＡＣをリセットする；
【０２１２】
−もし走っていればＴ３０４を止める；および
【０２１３】
−ＵＥがＥＮ−ＤＣで動作している場合には、例えば、３ＧＰＰ  ＴＳ  ３６．３３１で指定されているように、ＳＣＧＦａｉｌｕｒｅＩｎｆｏｒｍａｔｉｏｎメッセージの送信を開始する。
【０２１４】
例示的な実施の形態によれば、ＵＥは、以下のようにＳＣＧ障害タイプを設定することができる：
【０２１５】
−ＵＥがＳＣＧ無線リンク障害情報を提供するためにＳＣＧＦａｉｌｕｒｅＩｎｆｏｒｍａｔｉｏｎメッセージの送信を開始する場合、ｆａｉｌｕｒｅＴｙｐｅを、ＳＣＧ無線リンク障害を検出するためのトリガとして設定する；
【０２１６】
−ＵＥがＳＣＧＦａｉｌｕｒｅＩｎｆｏｒｍａｔｉｏｎメッセージの送信を開始して、ＳＣＧの同期障害情報を伴う再設定を提供する場合、ｆａｉｌｕｒｅＴｙｐｅをｓｃｇ−ＣｈａｎｇｅＦａｉｌｕｒｅとして設定する；
【０２１７】
−ＵＥが最大アップリンク送信タイミング差を超えたことによって、ＳＣＧＦａｉｌｕｒｅＩｎｆｏｒｍａｔｉｏｎ  メッセージの送信を開始した場合、ｆａｉｌｕｒｅＴｙｐｅをｍａｘＵＬ−ＴｉｍｉｎｇＤｉｆｆとして設定する；
【０２１８】
−ＵＥが、ＳＲＢ３ＩＰ検査障害に起因してＳＣＧＦａｉｌｕｒｅＩｎｆｏｒｍａｔｉｏｎメッセージの送信を開始した場合：ｆａｉｌｕｒｅＴｙｐｅをｓｒｂ３−ＩｎｔｅｇｒｉｔｙＦａｉｌｕｒｅとして設定する；および
【０２１９】
−ＵＥがＮＲ  ＲＲＣ再設定メッセージの再設定障害に起因してＳＣＧＦａｉｌｕｒｅＩｎｆｏｒｍａｔｉｏｎメッセージの送信を開始した場合：ｆａｉｌｕｒｅＴｙｐｅをｓｃｇ−ｒｅｃｏｎｆｉｇＦａｉｌｕｒｅとして設定する。
【０２２０】
本実施の形態に従い、ＵＥは、ＭｅａｓＲｅｓｕｌｔＳＣＧ−Ｆａｉｌｕｒｅの内容を以下のように設定することができる：
【０２２１】
−もしあればｍｅａｓＲｅｓｕｌｔＳｅｒｖｉｎｇＣｅｌｌ内の測定対象のＳＮによって設定される各ＳＣＧセルについて、特定の性能要件に従って、利用可能であれば、関連するＳＣｅｌｌの量を含むようにｍｅａｓＲｅｓｕｌｔＳｅｒｖＦｒｅｑＬｉｓｔを設定する；
【０２２２】
−もしあればｍｅａｓＲｅｓｕｌｔＳｅｒｖｉｎｇＣｅｌｌ内の測定対象のＳＮによって設定される各ＳＣＧセルについて、ＳＳ／ＰＢＣＨブロック測定が含めることができるように利用可能であれば、ＳＳ／ＰＢＣＨブロック周波数位置を含むようにｍｅａｓＲｅｓｕｌｔＳｅｒｖＦｒｅｑＬｉｓｔを設定する。
【０２２３】
−もしあればｍｅａｓＲｅｓｕｌｔＳｅｒｖｉｎｇＣｅｌｌ内の測定対象のＳＮによって設定される各ＳＣＧセルについて、ＳＳ／ＰＢＣＨブロック測定が含めることができるように利用可能であれば、ＳＳ／ＰＢＣＨブロック周波数位置を含むようにｍｅａｓＲｅｓｕｌｔＳｅｒｖＦｒｅｑＬｉｓｔを設定する。
【０２２４】
−ｍｅａｓＲｅｓｕｌｔＳｅｒｖＦｒｅｑＬｉｓｔに含まれる各ＳＣＧサービング周波数について、ｍｅａｓＲｅｓｕｌｔＢｅｓｔＮｅｉｇｈＣｅｌｌ内に、ｐｈｙｓＣｅｌｌＩｄと、関連するサービング周波数上の参照信号受信電力（ＲＳＲＰ）に基づく最良の非サービングセルの量と、を含む；
【０２２５】
−非サービングＮＲ周波数上の最良の測定セルを含むようにｍｅａｓＲｅｓｕｌｔＮｅｉｇｈＣｅｌｌｓを設定し、これらのセルは最良のセルが最初にリストされるように順序付けられ、ＵＥが障害を検出したときまでに集められた測定に基づくものであり、また、そのフィールドを以下のように設定する（ａ）ＵＥが、ＳＮによって、ひとつ以上の非サービングＮＲ周波数について測定を行うよう構成され、かつ、測定結果が利用可能であれば、ｍｅａｓＲｅｓｕｌｔＬｉｓｔＮＲを含め、（ｂ）含まれる各隣接セルについて、利用可能なオプショナルフィールドを含める。
【０２２６】
例示的な実施の形態によれば、測定された量は移動度測定設定において設定されるように、Ｌ３フィルタによってフィルタリングされてもよい。測定は、設定されている場合、時間ドメイン測定リソース制限に基づく。ブラックリストに載っているセルは報告される必要はない。
【０２２７】
例示的な実施の形態によれば、ＡＲＦＣＮ−ＶａｌｕｅＮＲ情報要素（ＩＥ）を使用して、３ＧＰＰ  ＴＳ  ３８．１０１で定義されているように、ダウンリンク、アップリンク、または双方向（時分割複信（ＴＤＤ）など）ＮＲグローバル周波数ラスタに適用可能なＡＲＦＣＮを示すことができる。以下は、ＡＲＦＣＮ−ＶａｌｕｅＮＲ  ＩＥの例である。
−−  ＡＳＮ１ＳＴＡＲＴ
−−  ＴＡＧ−ＡＲＦＣＮ−ＶＡＬＵＥ−ＮＲ−ＳＴＡＲＴ
ＡＲＦＣＮ−ＶａｌｕｅＮＲ  ：：＝        ＣＨＯＩＣＥ  ｛
−−５ｋＨｚの倍数の絶対キャリア周波数。０〜３ＧＨｚの周波数範囲に適用可能である。
−−パラメータ「Ｎ＿ＲＥＦ」に対応する（３８．１０１、ｓｅｃｔｉｏｎ  ＦＦＳ＿ｓｅｃｔｉｏｎを参照）
ｌｏｗＣａｒｒｉｅｒＦｒｅｑｕｅｎｃｙ  ＩＮＴＥＧＥＲ  （０．．５９９９９９），
−−１５ｋＨｚの倍数の絶対キャリア周波数。３ＧＨｚ〜２４ＧＨｚの周波数範囲に適用可能である。
−−パラメータ「Ｎ＿ＲＥＦ」に対応する（３８．１０１、ｓｅｃｔｉｏｎ  ＦＦＳ＿ｓｅｃｔｉｏｎを参照）
ｍｉｄＣａｒｒｉｅｒＦｒｅｑｕｅｎｃｙ  ＩＮＴＥＧＥＲ  （６０００００．．１９９９９９９），
−−６０ｋＨｚの倍数の絶対キャリア周波数。２４ＧＨｚ〜１００ＧＨｚの周波数範囲に適用可能である。
−−パラメータ「Ｎ＿ＲＥＦ」  に対応する（３８．１０１、ｓｅｃｔｉｏｎ  ＦＦＳ＿ｓｅｃｔｉｏｎを参照）
ｈｉｇｈＣａｒｒｉｅｒＦｒｅｑｕｅｎｃｙ  ＩＮＴＥＧＥＲ  （２００００００．．３２６６６６７）
｝
−−  ＴＡＧ−ＡＲＦＣＮ−ＶＡＬＵＥ−ＮＲ−ＳＴＯＰ
−−  ＡＳＮ１ＳＴＯＰ
【０２２８】
例示的な実施の形態によれば、ＧＳＣＮ−ＶａｌｕｅＮＲ  ＩＥを用いることで、３ＧＰＰ  ＴＳ  ３８．１０１において定義されるように、ＳＳ／ＰＢＣＨブロックの周波数位置を示すことができる。以下にＧＳＣＮ−ＶａｌｕｅＮＲ  ＩＥの例を提供する。ここで、ＦｒｅｑｕｅｎｃｙＯｆｆｓｅｔＳＳＢのフィールドは任意であり得る。
−−  ＡＳＮ１ＳＴＡＲＴ
−−  ＴＡＧ−ＧＳＣＮ−ＶＡＬＵＥ−ＮＲ−ＳＴＡＲＴ
ＧＳＣＮ−ＶａｌｕｅＮＲ  ：：＝        ＣＨＯＩＣＥ  ｛
−−０〜２．６５ＧＨｚの周波数ラスタインデクスとオフセット。パラメータ「Ｎ」に対応する（３８．１０１、ｓｅｃｔｉｏｎ  ＦＦＳ＿ｓｅｃｔｉｏｎを参照）
ｌｏｗＣａｒｒｉｅｒＦｒｅｑｕｅｎｃｙ  ＳＥＱＵＥＮＣＥ  ｛
ｆｒｅｑｕｅｎｃｙＩｎｄｅｘ  ＩＮＴＥＧＥＲ  （１．．２９４４），
−−ａｂｓｏｌｕｔｅＦｒｅｑｕｅｎｃｙＳＳＢに対する−５ｋＨｚ（Ｍ＝−１）または＋５ｋＨｚ（Ｍ＝１）のオフセット。フィールドが存在しない場合、ＵＥはオフセットを適用しない（Ｍ＝０）。
−−オフセットは、０〜２．６５ＧＨｚの周波数範囲にのみ適用可能である。パラメータ「Ｍ」に対応する（３８．１０１、ｓｅｃｔｉｏｎ  ＦＦＳ＿ｓｅｃｔｉｏｎを参照）
ｆｒｅｑｕｅｎｃｙＯｆｆｓｅｔＳＳＢ  ＦｒｅｑｕｅｎｃｙＯｆｆｓｅｔＳＳＢ  ＯＰＴＩＯＮＡＬ  −−  Ｎｅｅｄ  Ｒ
｝，
−−２．４ＧＨｚ−２４．２５ＧＨｚの周波数ラスタインデクス。パラメータ「Ｎ」に対応する（３８．１０１、ｓｅｃｔｉｏｎ  ＦＦＳ＿ｓｅｃｔｉｏｎを参照）
ｍｉｄＣａｒｒｉｅｒＦｒｅｑｕｅｎｃｙ  ＩＮＴＥＧＥＲ  （０．．１５１７３），
−−２４．２５〜１００ＧＨｚ範囲の周波数ラスタインデクス。パラメータ「Ｎ」に対応する（３８．１０１、ｓｅｃｔｉｏｎ  ＦＦＳ＿ｓｅｃｔｉｏｎを参照）
ｈｉｇｈＣａｒｒｉｅｒＦｒｅｑｕｅｎｃｙ  ＩＮＴＥＧＥＲ  （０．．４３８３）
｝
ＦｒｅｑｕｅｎｃｙＯｆｆｓｅｔＳＳＢ  ：：＝  ＥＮＵＭＥＲＡＴＥＤ  ｛  ｍｉｎｕｓ５ｋＨｚ，  ｐｌｕｓ５ｋＨｚ  ｝
−−  ＴＡＧ−ＧＳＣＮ−ＶＡＬＵＥ−ＮＲ−ＳＴＯＰ
−−  ＡＳＮ１ＳＴＯＰ
【０２２９】
例示的な実施の形態によると、ＥＮ−ＤＣの場合にＵＥによって検出された障害に関する情報を提供するために、ＭｅａｓＲｅｓｕｌｔＳＣＧ−Ｆａｉｌｕｒｅ  ＩＥを使用することができる。以下は、ＭｅａｓＲｅｓｕｌｔＳＣＧ−Ｆａｉｌｕｒｅ  ＩＥの例である。ここで、ｒｅｆＦｒｅｑＣＳＩ−ＲＳ、ＡＲＦＣＮ−ＶａｌｕｅＮＲ、ｍｅａｓＲｅｓｕｌｔＢｅｓｔＮｅｉｇｈＣｅｌｌ、およびＭｅａｓＲｅｓｕｌｔＮＲ  などの一部のフィールドはオプションとなる。
−−  ＡＳＮ１ＳＴＡＲＴ
−−  ＴＡＧ−ＭＥＡＳ−ＲＥＳＵＬＴ  −ＳＣＧ−ＦＡＩＬＵＲＥ−ＳＴＡＲＴ
−−  ｆａｉｌｕｒｅＴｙｐｅが必要な場合はＦＦＳ
ＭｅａｓＲｅｓｕｌｔＳＣＧ−Ｆａｉｌｕｒｅ  ：：＝  ＳＥＱＵＥＮＣＥ  ｛
ｍｅａｓＲｅｓｕｌｔＳｅｒｖＦｒｅｑＬｉｓｔ  ＭｅａｓＲｅｓｕｌｔＳｅｒｖＦｒｅｑＬｉｓｔ２ＮＲ，
ｍｅａｓＲｅｓｕｌｔＮｅｉｇｈＣｅｌｌｓ  ＭｅａｓＲｅｓｕｌｔＬｉｓｔ２ＮＲ，
．．．
｝
ＭｅａｓＲｅｓｕｌｔＳｅｒｖＦｒｅｑＬｉｓｔ２ＮＲ  ：：＝  ＳＥＱＵＥＮＣＥ  （ＳＩＺＥ  （１．．ｍａｘＮｒｏｆＳｅｒｖｉｎｇＣｅｌｌｓ））  ＯＦ  ＭｅａｓＲｅｓｕｌｔＳｅｒｖＦｒｅｑ２ＮＲ
ＭｅａｓＲｅｓｕｌｔＳｅｒｖＦｒｅｑ２ＮＲ  ：：＝  ＳＥＱＵＥＮＣＥ  ｛
ｓｓｂＡｂｓｏｌｕｔｅＦｒｅｑ  ＧＳＣＮ−ＶａｌｕｅＮＲ，
ｒｅｆＦｒｅｑＣＳＩ−ＲＳ  ＡＲＦＣＮ−ＶａｌｕｅＮＲ  ＯＰＴＩＯＮＡＬ，
ｍｅａｓＲｅｓｕｌｔＳｅｒｖｉｎｇＣｅｌｌ  ＭｅａｓＲｅｓｕｌｔＮＲ，
ｍｅａｓＲｅｓｕｌｔＢｅｓｔＮｅｉｇｈＣｅｌｌ  ＭｅａｓＲｅｓｕｌｔＮＲ  ＯＰＴＩＯＮＡＬ
｝
ＭｅａｓＲｅｓｕｌｔＬｉｓｔ２ＮＲ  ：：＝  ＳＥＱＵＥＮＣＥ  （ＳＩＺＥ  （１．．ｍａｘＦｒｅｑ））  ＯＦ  ＭｅａｓＲｅｓｕｌｔ２ＮＲ
ＭｅａｓＲｅｓｕｌｔ２ＮＲ  ：：＝  ＳＥＱＵＥＮＣＥ  ｛
ｃａｒｒｉｅｒＦｒｅｑ  ＡＲＦＣＮ−ＶａｌｕｅＮＲ，
ｍｅａｓＲｅｓｕｌｔＬｉｓｔＮＲ  ＭｅａｓＲｅｓｕｌｔＬｉｓｔＮＲ
｝
−−  ＴＡＧ−ＭＥＡＳ−ＲＥＳＵＬＴ  −ＳＣＧ−ＦＡＩＬＵＲＥ−ＳＴＯＰ
−−  ＡＳＮ１ＳＴＯＰ
【０２３０】
いくつかの例示的な実施の形態による第３の提案された解は、ネットワークノードが、ＳＳ／ＰＢＣＨブロック測定が特定の周波数位置に関連付けられていること、および／またはＣＳＩ−ＲＳ測定が汎用キャリア情報を有する代わりに、特定の周波数位置に関連付けられていることを特定することを可能にし得る。例示的な実施の形態によれば、ネットワークノードは、ｅＮＢまたはｇＮＢなどの、ＬＴＥ、ＮＲ、５Ｇ、または他の適切な無線技術をサポートするネットワークエンティティを備えることができる。
【０２３１】
図７Ｂは、本開示のいくつかの実施の形態による方法７２０を示すフローチャートである。図７Ｂに示される方法７２０は、ＳＮとして動作する、またはＳＮに通信可能に結合されたネットワークノードにおいて実装される装置によって実行され得る。図７Ｂに示される例示的な方法７２０によれば、ＳＮは、ブロック７２２に示されるように、ＭＮとして動作するネットワークノードから端末デバイスの測定情報を含むレポートを受信することができる。端末デバイスは、少なくともＭＮに接続されていてもよい。レポートは、測定情報のための周波数情報を示すことができる。ブロック７２４に示すように、ＳＮは、報告から周波数情報を取得することができる。周波数情報は、同期信号の周波数位置および参照信号の周波数位置のうちの少なくとも１つを含んでもよい。
【０２３２】
例示的な実施の形態によれば、周波数情報は、同期信号ブロック（ＳＳＢ）のオフセットをさらに含むことができる。例示的な実施の形態によれば、同期信号の周波数位置は、同期信号／物理報知チャネル（ＳＳ／ＰＢＣＨ）ブロックが送信される周波数位置を含むことができる。例示的な実施の形態によると、参照信号の周波数位置は、チャネル状態情報参照信号（ＣＳＩ−ＲＳ）周波数位置を参照位置から導出することができるときのその参照位置を含んでもよい。
【０２３３】
図７Ｃは、本開示のいくつかの実施の形態による装置７３０を示すブロック図である。図７Ｃに示されるように、装置７３０は、受信部７３１および取得部７３２を備え得る。例示的な実施の形態では、装置７３０はＳＮとして動作するネットワークノードにおいて実装され得る。受信部７３１はブロック７２２における動作を実行するように動作可能であり、取得部７３２は、ブロック７２４における動作を実行するように動作可能である。任意選択で、受信部７３１および／または取得部７３２は本開示の例示的な実施の形態による提案された方法を実施するために、より多くのまたはより少ない動作を実行するように動作可能であってもよい。
【０２３４】
図５Ａ〜５Ｃ、図６Ａ〜６Ｃ、および図７Ｂに示される様々なブロックは、方法ステップとして、および／またはコンピュータプログラムコードの動作から生じる動作として、および／または関連する機能を実行するように設定された複数の結合された論理回路要素として、見ることができる。上記の概略フローチャート図は、一般に論理フローチャート図として示される。したがって、示された順序およびラベル付けされたステップは、提示された方法の特定の実施の形態を示す。図示された方法の機能、論理、または１つまたは複数のステップ、またはその一部と同等である他のステップおよび方法を考えることができる。さらに、特定の方法が行われる順序は、示された対応するステップの順序に厳密に従うことも、従わないこともある。
【０２３５】
図８は、本開示の種々の実施の形態による装置８００を示すブロック図である。図８に示すように、装置８００は、プロセッサ８０１などの１つまたは複数のプロセッサと、コンピュータプログラムコード８０３を格納するメモリ８０２などの１つまたは複数のメモリとを備えることができる。メモリ８０２は、非一時的な機械／プロセッサ／コンピュータ可読記憶媒体とすることができる。いくつかの例示的な実施の形態によれば、装置８００は、ネットワークノードまたは端末デバイスにプラグ接続または取り付けることができる集積回路チップまたはモジュールとして実装することができる。
【０２３６】
いくつかの実装形態では、１つまたは複数のメモリ８０２およびコンピュータプログラムコード８０３は、１つまたは複数のプロセッサ８０１とともに、装置８００に、図５Ａ〜５Ｃのいずれかに関連して説明されるような方法の任意の動作を少なくとも実行させるように構成され得る。他の実装形態では、１つまたは複数のメモリ８０２およびコンピュータプログラムコード８０３は、１つまたは複数のプロセッサ８０１とともに、装置８００に、図６Ａ〜６Ｃのいずれかに関連して説明した方法の任意の動作を少なくとも実行させるように構成され得る。さらなる実装形態では、１つまたは複数のメモリ８０２およびコンピュータプログラムコード８０３は、１つまたは複数のプロセッサ８０１とともに、装置８００に、図７Ｂに関連して説明した方法の任意の動作を少なくとも実行させるように構成され得る。いくつかの例示的な実施の形態によれば、１つまたは複数のメモリ８０２およびコンピュータプログラムコード８０３は、１つまたは複数のプロセッサ８０１とともに、装置８００に、第４の提案された解による任意の方法の任意の動作を少なくとも実行させるように構成され得る。
【０２３７】
代替的にまたは追加的に、１つまたは複数のメモリ８０２およびコンピュータプログラムコード８０３は、１つまたは複数のプロセッサ８０１とともに、本開示の例示的な実施の形態による提案された方法を実施するために、装置８００に、少なくともより多くのまたはより少ない動作を実行させるように構成され得る。
【０２３８】
第４の提案された解のいくつかの例示的な実施の形態によれば、端末デバイスにおいて実施される方法が提供される。方法は、ＭＮおよびＳＮの設定に少なくとも部分的に基づいて測定情報を取得することを含んでもよい。端末デバイスは、ＭＮおよびＳＮに接続される。この方法は、ＳＮに関する障害に応じて、周波数情報を含む測定情報を含むレポートをＭＮに送信することをさらに備えてもよい。
【０２３９】
第４の提案された解のいくつかの例示的な実施の形態によれば、ネットワークノードにおいて実施される方法が提供される。この方法は、別のネットワークノードに関する障害に応じて、少なくともネットワークノードに接続された端末デバイスから、周波数情報を含む測定情報を含むレポートを受信することを含んでもよい。ネットワークノードは、端末デバイスのＭＮとして動作するように設定され、別のネットワークノードは端末デバイスのＳＮとして動作するように設定される。測定情報は、ＭＮおよびＳＮの設定に少なくとも部分的に基づく。方法はさらに、測定情報を解釈することを含む。任意選択で、方法は、測定情報に少なくとも部分的に基づいて、端末デバイスの別のＳＮを決定することと、測定情報の少なくとも一部を別のＳＮに送信することと、をさらに含んでもよい。
【０２４０】
第４の提案された解のいくつかの例示的な実施の形態によれば、ネットワークノードにおいて実施される方法が提供される。この方法は、端末デバイスに接続された別のネットワークノードから、端末デバイスの周波数情報を含む測定情報を含むレポートを受信することを含んでもよい。ネットワークノードは、端末デバイスのＳＮとして動作するように設定され、別のネットワークノードは端末デバイスのＭＮとして動作するように設定される。測定情報は、端末デバイスのＭＮおよび別のＳＮの設定に少なくとも部分的に基づく。方法はさらに、測定情報を解釈することを含む。
【０２４１】
いくつかの例示的な実施の形態によれば、周波数情報は、同期信号の周波数位置および参照信号の周波数位置のうちの少なくとも１つに関する情報を含むことができる。
【０２４２】
いくつかの例示的な実施の形態によれば、同期信号の周波数位置は、同期信号ブロックが送信される周波数位置を含むことができる。
【０２４３】
いくつかの例示的な実施の形態によれば、周波数情報は、同期信号ブロックのオフセットをさらに含むことができる。
【０２４４】
いくつかの例示的な実施の形態によれば、参照信号の周波数位置に関する情報は、チャネル状態情報参照信号（ＣＳＩ−ＲＳ）周波数位置を参照位置から導出できるときのその参照位置を含んでもよい。
【０２４５】
いくつかの例示的な実施の形態によれば、周波数情報は、少なくとも１つの絶対無線周波数チャネル番号を含むことができる。
【０２４６】
一般に、様々な例示的な実施の形態は、ハードウェアまたは専用チップ、回路、ソフトウェア、ロジック、またはそれらの任意の組合せで実装され得る。例えば、いくつかの態様はハードウェアで実装されてもよく、他の態様はコントローラ、マイクロプロセッサ、または他のコンピューティングデバイスによって実行されてもよいファームウェアまたはソフトウェアで実装されてもよいが、本開示はそれに限定されない。本開示の例示的な実施の形態の様々な態様は、ブロック図、フローチャートとして、または何らかの他の絵画的表現を使用して図示および説明され得るが、本明細書で説明されるこれらのブロック、装置、システム、技法、または方法は、非限定的な例として、ハードウェア、ソフトウェア、ファームウェア、専用回路または論理、汎用ハードウェアまたはコントローラもしくは他のコンピューティングデバイス、あるいはそれらの何らかの組み合せで実装され得ることを十分に理解されたい。
【０２４７】
したがって、本開示の例示的な実施の形態の少なくともいくつかの態様は、集積回路チップおよびモジュールなどの様々な構成要素において実施され得ることを理解されたい。したがって、本開示の例示的な実施の形態は、集積回路として実施される装置において実現されてもよく、集積回路は本開示の例示的な実施の形態に従って動作するように構成可能な、データプロセッサ、デジタル信号プロセッサ、ベースバンド回路、および無線周波数回路のうちの少なくとも１つまたは複数を実施するための回路（ならびに場合によってはファームウェア）を備えてもよいことを理解されたい。
【０２４８】
本開示の例示的な実施の形態の少なくともいくつかの態様は、１つまたは複数のコンピュータまたは他のデバイスによって実行される、１つまたは複数のプログラムモジュールなどのコンピュータ実行可能命令で実施され得ることを理解されたい。一般に、プログラムモジュールは、コンピュータや他のデバイスのプロセッサによって実行された場合、特定のタスクを実行する、または特定の抽象的データタイプを実装するルーチンやプログラムやオブジェクトやコンポーネントやデータ構造などを含む。コンピュータ実行可能命令は、ハードディスク、光ディスク、リムーバブル記憶媒体、ソリッドステートメモリ、ランダムアクセスメモリ（ＲＡＭ）などのコンピュータ可読媒体上に記憶され得る。当業者には理解されるように、プログラムモジュールの機能は、さまざまな実施の形態において所望に応じて組み合わされても分散されてもよい。さらに、この機能は全体または部分的に、集積回路、フィールドプログラマブルゲートアレイ（ＦＰＧＡ）などのファームウェアまたはハードウェア等価物で実施することができる。
【０２４９】
本開示は明示的に、またはその任意の一般化のいずれかで、本明細書で開示される任意の新規な特徴または特徴の組み合わせを含む。添付の図面と併せて読まれるとき、前述の説明を考慮して、本開示の前述の例示的な実施の形態に対する様々な修正および適応は関連技術の当業者に明らかになり得る。しかしながら、任意の及び全ての修正は、依然として本開示の非限定的かつ例示的な実施の形態の範囲内にある。
【図１】
0006980033.tif 000004
【図２】
0006980033.tif 000005
【図３】
0006980033.tif 000006
【図４】
0006980033.tif 000007
【図５Ａ】
0006980033.tif 000008
【図５Ｂ】
0006980033.tif 000009
【図５Ｃ】
0006980033.tif 000010
【図５Ｄ】
0006980033.tif 000011
【図５Ｅ】
0006980033.tif 000012
【図５Ｆ】
0006980033.tif 000013
【図６Ａ】
0006980033.tif 000014
【図６Ｂ】
0006980033.tif 000015
【図６Ｃ】
0006980033.tif 000016
【図６Ｄ】
0006980033.tif 000017
【図６Ｅ】
0006980033.tif 000018
【図６Ｆ】
0006980033.tif 000019
【図７Ａ】
0006980033.tif 000020
【図７Ｂ】
0006980033.tif 000021
【図７Ｃ】
0006980033.tif 000022
【図８】
0006980033.tif 000023